(57)【要約】【課題】予め座金が取り付けられた固定具を灯具に装着することができ、さらに、この固定具が外れないようにした灯具、灯具の取付構造、及びこれらを備えた照明装置を提供する。【解決手段】灯具は、照明器具に取り付けられる灯具であって、灯具を照明器具に固定する固定具と、灯具に固定され、固定具によって照明器具に固定される連結部材と、灯具の光源を覆う透光性カバーの開口部に配置される端部蓋と、固定具と係合する座金と、を備え、連結部材は、固定具が取り付けられる灯具側連結部を有し、灯具側連結部は、縁部が切り欠かれた開放端を形成すると共に、固定具が開放端を介して嵌入される固定具挿通部を有し、固定具が取り付けられた連結部材と、端部蓋とが、灯具に取り付けられた場合に、端部蓋が開放端を覆うものである。【選択図】図１９
2020035705.tif 000002
【特許請求の範囲】
【請求項１】
照明器具に取り付けられる灯具であって、
前記灯具を前記照明器具に固定する固定具と、
前記灯具に固定され、前記固定具によって前記照明器具に固定される連結部材と、
前記灯具の光源を覆う透光性カバーの開口部に配置される端部蓋と、
前記固定具と係合する座金と、
を備え、
前記連結部材は、
前記固定具が取り付けられる灯具側連結部を有し、
前記灯具側連結部は、
縁部が切り欠かれた開放端を形成すると共に、前記固定具が前記開放端を介して嵌入される固定具挿通部を有し、
前記固定具が取り付けられた前記連結部材と、前記端部蓋とが、前記灯具に取り付けられた場合に、前記端部蓋が前記開放端を覆う灯具。
【請求項２】
前記灯具は長尺に形成されており、
前記端部蓋は、
前記灯具の長手方向の端部に配置されると共に、前記端部蓋が前記灯具に取り付けられた場合に、前記長手方向の最外壁を構成するカバー端面部を有し、
前記固定具が取り付けられた前記連結部材と、前記端部蓋とが、前記灯具に取り付けられた場合に、前記カバー端面部が前記開放端を覆う請求項１に記載の灯具。
【請求項３】
前記灯具は長尺に形成されており、
前記端部蓋は、
前記灯具の長手方向の端部に配置されると共に、前記端部蓋が前記灯具に取り付けられた場合に、前記灯具の短手方向に配置される側面部を有し、
前記固定具が取り付けられた前記連結部材と、前記端部蓋とが、前記灯具に取り付けられた場合に、前記側面部が前記開放端を覆う請求項１に記載の灯具。
【請求項４】
前記端部蓋は、
前記端部蓋が前記灯具に取り付けられた場合に、前記照明器具と対向する底面部と、
前記底面部から立ち上がる筒状の連結ガイドと、
を有し、
前記固定具が取り付けられた前記連結部材と、前記端部蓋とが、前記灯具に取り付けられた場合に、前記固定具の一部が前記連結ガイド内に配置される請求項１〜請求項３のいずれか１項に記載の灯具。
【請求項５】
前記固定具が取り付けられた前記連結部材と、前記端部蓋とが、前記灯具に取り付けられた場合に、前記固定具の一部と前記連結ガイドの内面壁との間の距離が、前記灯具側連結部における前記固定具が締結される位置と前記開放端との間の距離よりも短い請求項４に記載の灯具。
【請求項６】
前記固定具挿通部は、前記灯具側連結部にのみ形成されている請求項１〜請求項５のいずれか１項に記載の灯具。
【請求項７】
灯具を照明器具に固定する固定具と、
前記灯具に固定され、前記固定具によって前記照明器具に固定される連結部材と、
前記灯具の光源を覆う透光性カバーの開口部に配置される端部蓋と、
を備え、
前記連結部材は、
前記固定具が取り付けられる灯具側連結部を有し、
前記灯具側連結部は、
縁部が切り欠かれた開放端を形成すると共に、前記固定具が前記開放端を介して嵌入される固定具挿通部を有し、
前記固定具が取り付けられた前記連結部材と、前記端部蓋とが、前記灯具に取り付けられた場合に、前記端部蓋が前記開放端を覆う、灯具の取付構造。
【請求項８】
前記灯具が前記照明器具に取り付けられた状態では、前記端部蓋によって前記固定具挿通部における前記固定具の移動が規制される請求項７に記載の灯具の取付構造。
【請求項９】
請求項１〜請求項６のいずれか１項に記載の灯具を備えた照明装置。
【請求項１０】
請求項７又は請求項８に記載の灯具の取付構造を備えた照明装置。
【発明の詳細な説明】
【技術分野】
【０００１】
本発明は、照明器具等に取り付けられた状態で使用される灯具に関し、灯具、灯具を照明器具に取り付けるための灯具の取付構造、及びこれらを備えた照明装置に関する。
【背景技術】
【０００２】
従来より、連結具を介して灯具が照明器具にねじ止めされ、照明器具への灯具の取付作業の作業性の低下を抑えつつ、照明器具に対する灯具の取付強度の向上を図るとした技術が開示されている（例えば、特許文献１参照）。
【先行技術文献】
【特許文献】
【０００３】
【特許文献１】特許第６１４９６８８号公報
【発明の概要】
【発明が解決しようとする課題】
【０００４】
しかしながら、特許文献１に開示された技術では、固定具に座金を取り付けることができないため、固定具に座金を取り付ける際に作業性が悪く、また、取り付けられた固定具が外れる恐れがある。
【０００５】
本発明は、上記の課題を鑑みてなされたものであり、予め座金が取り付けられた固定具を灯具に装着することができ、さらに、この固定具が外れないようにした灯具、灯具の取付構造、及びこれらを備えた照明装置を提供することである。
【課題を解決するための手段】
【０００６】
本発明に係る灯具は、照明器具に取り付けられる灯具であって、灯具を照明器具に固定する固定具と、灯具に固定され、固定具によって照明器具に固定される連結部材と、灯具の光源を覆う透光性カバーの開口部に配置される端部蓋と、固定具と係合する座金と、を備え、連結部材は、固定具が取り付けられる灯具側連結部を有し、灯具側連結部は、縁部が切り欠かれた開放端を形成すると共に、固定具が開放端を介して嵌入される固定具挿通部を有し、固定具が取り付けられた連結部材と、端部蓋とが、灯具に取り付けられた場合に、端部蓋が開放端を覆うものである。
【発明の効果】
【０００７】
本発明の灯具は、灯具側連結部が、縁部が切り欠かれた開放端を形成すると共に、固定具が開放端を介して嵌入される固定具挿通部を有する。そのため、灯具は、開放端を介して、予め座金が取り付けられた固定具を灯具に装着することができる。そして、灯具は、固定具が取り付けられた連結部材と、端部蓋とが、灯具に取り付けられた場合に、端部蓋が開放端を覆う。そのため、灯具は、端部蓋によって固定具が固定具挿通部から外れることを防ぐことができる。
【図面の簡単な説明】
【０００８】
【図１】本発明の実施の形態に係る照明装置の斜視図である。
【図２】本発明の実施の形態に係る照明装置の照明器具と灯具とを分割した分割斜視図である。
【図３】本発明の実施の形態に係る照明装置の断面図である。
【図４】本発明の実施の形態に係る灯具の斜視図である。
【図５】本発明の実施の形態に係る灯具の一方の端部における分解斜視図である。
【図６】本発明の実施の形態に係る灯具の他方の端部における分解斜視図である。
【図７】本発明の実施の形態に係る灯具の長手方向Ｘに沿った断面図である。
【図８】本発明の実施の形態に係る灯具の端部蓋を説明する分割斜視図である。
【図９】本発明の実施の形態に係る灯具の、図８の反対側から見た端部蓋を説明する分割斜視図である。
【図１０】本発明の実施の形態に係る灯具の封止構造を説明する模式図である。
【図１１】本発明の実施の形態に係る灯具の封止構造の第１の変形例を説明する模式図である。
【図１２】本発明の実施の形態に係る灯具の封止構造の第２の変形例を説明する模式図である。
【図１３】本発明の実施の形態に係る灯具の封止構造の第３の変形例を説明する模式図である。
【図１４】本発明の実施の形態に係る灯具の封止構造の第４の変形例を説明する模式図である。
【図１５】本発明の実施の形態に係る伸縮構造の基準となる配置を示す断面図である。
【図１６】本発明の実施の形態に係る伸縮構造における透光性カバーの伸長状態の配置を示す断面図である。
【図１７】本発明の実施の形態に係る伸縮構造における透光性カバーの収縮状態の配置を示す断面図である。
【図１８】本発明の実施の形態に係る固定具の嵌入状態を説明する断面図である。
【図１９】本発明の実施の形態に係る固定具の嵌入状態を説明する他の断面図である。
【発明を実施するための形態】
【０００９】
以下、本発明の実施の形態に係る灯具３、灯具３の伸縮構造１１０、及び照明装置１について、図面を参照して説明する。各図において同じまたは対応する構成要素には、同じ符号を付し、説明の繰り返しを省略する場合がある。
【００１０】
ここで、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向及び向きを限定するものではない。
【００１１】
実施の形態．
＜照明装置１の構成＞
図１は、本発明の実施の形態に係る照明装置１の斜視図である。図２は、本発明の実施の形態に係る照明装置１の照明器具２と灯具３とを分割した分割斜視図である。図３は、本発明の実施の形態に係る照明装置１の断面図である。図３は、図１の平面Ａにおける照明装置１の垂直断面である。図１から図３を参照して、実施の形態に係る照明装置１の構成を説明する。
【００１２】
以下の説明において、照明装置１の長手方向に沿った方向を長手方向Ｘとする。また、長手方向Ｘに直交し、長手方向Ｘに対する短手方向を短手方向Ｙとする。そして、長手方向Ｘ及び短手方向Ｙのいずれとも直交する方向を上下方向Ｚとする。また、長手方向Ｘにおいて、長手端部側への向きを、端向きＸ１とする。そして、端向きＸ１と反対側への向きであり、長手中央側への向きを中向きＸ２とする。さらに、上下方向Ｚにおいて、照明装置１が取り付けられる造営部９側（すなわち、天井、壁等の被取付部側）への向きを上向きＺ１とする。そして、上向きＺ１と反対側への向きであり照明装置１から光が照射される照射空間側への向きを下向きＺ２とする。ここで、上向きＺ１は、灯具３が照明器具２に取り付けられる向きであり、下向きＺ２は、灯具３が照明器具２から取り外される向きである。
【００１３】
本実施の形態における照明装置１は、天井あるいは壁等の造営部９に取り付けられる照明器具２と照明器具２に装着される灯具３とを有する。また、照明装置１は、後述する灯具３の封止構造１００を有する。本実施の形態では、いわゆるトラフタイプの照明器具２を例として示す。
【００１４】
（照明器具２）
照明器具２を構成する器具本体２０は、本実施の形態では、金属製の板材を折り曲げて形成される。器具本体２０は、器具底面部２１、２つで一組となる器具側面部２２及び２つで一組となる器具端部２３を有している。器具底面部２１は、長尺かつ平板状に形成されており、２つで一組となる器具側面部２２は、器具底面部２１の短手方向Ｙの両端に配置されている。また、２つで一組となる器具端部２３は、器具底面部２１の長手方向Ｘの両端に配置されている。器具端部２３には、ノックアウト２４が形成され、後述する電線（図示は省略）等を挿通する際に取り外される。照明器具２の構成等について、さらに説明する。
【００１５】
装着部２５は、装着された灯具３の一部を収容する収容部である。装着部２５は、器具本体２０の器具底面部２１、一組の器具側面部２２及び一組の器具端部２３により凹形状に形成される。このため、装着部２５は、器具本体２０の器具底面部２１、一組の器具側面部２２及び一組の器具端部２３で囲まれる空間を形成している。ここで、装着部２５が収容する灯具３の一部は、照射側ではない非照射部となる。また、器具本体２０の下端に位置する開口端部２６は、器具本体２０に囲まれていない開口部分である。開口端部２６は、照明器具２の装着部２５に対して、灯具３の着脱を行う際の装着口となる。器具本体２０の開口端部２６において、長手方向Ｘの両端部には器具側連結部２７が形成されている。器具側連結部２７には、灯具３が取り付けられる。本実施の形態では、器具側連結部２７は、器具端部２３と一体に形成されており、開口端部２６から長手方向Ｘにおける中向きＸ２に向かって、折り曲げて形成されている。器具側連結部２７に形成されたネジ孔２８は、灯具３に取り付けられた、後述する固定具４８がねじ止めされる孔である。なお、固定具４８は、例えば、連結ネジである。灯具３は、固定具４８によって照明器具２にねじ止めされて固定される。
【００１６】
＜灯具３＞
図４は、本発明の実施の形態に係る灯具３の斜視図である。図１から図４を用いて灯具３について説明する。灯具３は、照明器具２に取り付けられることによって照明装置１を構成する。照明具及び光源ユニットとなる灯具３は、長尺状に形成されており、照明器具２に装着されて使用される。本実施の形態では、灯具３は、照明器具２の長手方向Ｘにおける両端部において、後述する固定具４８によって照明器具２の器具側連結部２７に取り付けられる。本実施の形態の灯具３は、図２及び図３に示すように、主として、透光性カバー３０、端部蓋４０、封止具４３及び発光部６０等を有している。
【００１７】
（透光性カバー３０）
透光性カバー３０は、少なくとも可視光を透過する透光性の材料が用いられ、後述する取付部材５０、発光部６０及び制御部８０等を内部の空間に収容し、保護する、筒形状の外郭である。透光性カバー３０は、ガラス、ポリカーボネイト、アクリル等の樹脂材料を用いて形成することができる。また、透光性カバー３０において、装着部２５から外部に露出している部分は外観意匠部分にもなる。本実施の形態の透光性カバー３０は、例えば、押出成形によって筒形部材を、製品の仕様等に応じて必要な長さに切断することで、製造することができる。
【００１８】
本実施の形態の灯具３では、図３に示すように、透光性カバー３０のうち、装着部２５から外部に露出している部分は、発光部６０の照射側及び台座５１の表面を覆う外殻部（外壁部）になる。ここで、この部分の外周部３７については、外面部に対する法線の向きが、発光素子６１の光軸Ｌに沿う向きから光軸Ｌに直交する向きまでの範囲内となっている。たとえば、照明装置１から下方に向けて光が照射されるように、灯具３が照明器具２に装着された場合において、透光性カバー３０の装着部２５から外部に露出している部分は、外面部が下方、斜め下方、あるいは側方（水平方向外側）に向いている。すなわち、透光性カバー３０の装着部２５から外部に露出している部分は、外面部が、上方、あるいは斜め上方に向いていない。また、透光性カバー３０のうち、装着部２５に収容され、外部に露出していない部分は、制御部８０及び台座５１における取付面部５２の制御部８０が配置される裏面側を覆う外殻部（外壁部）になる。透光性カバー３０のうち、装着部２５に収容され、外部に露出していない部分の表面は、器具本体２０の器具底面部２１及び一組の器具側面部２２と対向する。ここで、透光性カバー３０について、製品の仕様等に応じて、光拡散性、波長弁別性等を有するものであってもよい。また、透光性カバー３０のうち、外部に露出していない部分については、反射性、遮光性等を有する材料を用いて形成してもよい。
【００１９】
本実施の形態の筒形の透光性カバー３０は、図１から図４に示すように、内部に収容される機器を覆い、内部に収容される機器に対する位置によって、一組の並行部３１、第１接続部３２及び第２接続部３３に分かれている。また、透光性カバー３０には、２つのリブ３４が設けられている。一組の並行部３１は、透光性カバー３０において、一組の面が同じ距離で並行する面を形成している。透光性カバー３０は、一組の並行部３１の外側の面部分となる外面部及び内側の面部分となる内面部が、それぞれ、ともに平面形状である。一組の外面部及び一組の内面部は、透光性カバー３０に収容される発光素子６１の光軸Ｌに沿った平面であり、外殻部（外壁部）の外表面となっている。本実施の形態では、この平面は、灯具３が照明器具２に装着された状態で、上下方向Ｚに沿っている。さらに、この平面は、一組の外面部及び一組の内面部が、灯具３が照明器具２に装着された状態で、それぞれ対向する器具側面部２２に沿った平面でもある。そして、この平面は、灯具３が照明器具２に取り付けられる向き又は照明器具２から取り外される向きに沿った平面にもなる。このため、透光性カバー３０の並行部３１は、短手方向Ｙにおいて、器具側面部２２より外側にはならず、器具側面部２２の内側に位置する。並行部３１のうち、灯具３が照明器具２に装着されたときに露出している部分は、灯具３の側方における照射部となる。
【００２０】
第１接続部３２は、一組の並行部３１における照射側の端部同士を繋いでいる部分であり、発光素子６１の光軸Ｌと交わり、灯具３の主たる照射部となる。第１接続部３２は、発光素子６１からの光を下方に向けて照射する。第１接続部３２の外面部及び内面部は、１つ又は複数の面で構成されている。図３に示すように、本実施の形態では、透光性カバー３０における第１接続部３２の外面部及び内面部が、１つの曲面で構成されている場合について説明する。ここで、第１接続部３２の外面部及び内面部が、複数の面で構成される場合は、複数の異なる曲率の複数の曲面、複数の異なる角度の複数の平面、これらの曲面と平面とを組み合わせて構成することができる。第２接続部３３は、一組の並行部３１における器具側の端部同士を繋いでいる部分であり、灯具３が照明器具２に装着された状態において、装着部２５に収容される部分である。本実施の形態では、透光性カバー３０における第２接続部３３の外面部及び内面部は、１つの曲面で構成されている場合について説明する。ここで、第２接続部３３の外面部及び内面部が、複数の面で構成される場合は、複数の異なる曲率の複数の曲面、複数の異なる角度の複数の平面、これらの曲面と平面とを組み合わせて構成することができる。
【００２１】
リブ３４は、透光性カバー３０の外面部の法線方向に張り出すように設けられる。本実施の形態では、リブ３４は、各並行部３１において、外側に向かって張り出すように設けられている。そして、各リブ３４は、並行部３１と一体形成される。各リブ３４は、透光性カバー３０の長手方向Ｘに延設されている。リブ３４は、灯具３が照明器具２に装着された状態で、器具側面部２２における開口端部２６付近と対向するような位置に形成される。
【００２２】
図５は、本発明の実施の形態に係る灯具３の一方の端部３Ａにおける分解斜視図である。図６は、本発明の実施の形態に係る灯具３の他方の端部３Ｂにおける分解斜視図である。図７は、本発明の実施の形態に係る灯具３の長手方向Ｘに沿った断面図である。透光性カバー３０は、取付部材５０に配置された発光素子６１の発光面を覆うと共に、取付部材５０の長手方向に沿った長手方向Ｘとなる第１方向における端部３６に開口が形成されている。換言すれば、透光性カバー３０は、少なくとも一方の端部３６が開口する長尺形状の中空体であると共に、発光素子６１が実装された基板６２を内部に収納する外郭である。カバー端部３５は、透光性カバー３０の長手方向Ｘにおいて、透光性カバー３０の両端部分である。透光性カバー３０のカバー端部３５には、端部３６が設けられている。端部３６は、カバー端部３５において端部蓋４０が嵌合される部分であり、端部蓋４０に覆われる部分である。端部３６は、透光性カバー３０の伸縮に伴い、端部蓋４０と共に長手方向Ｘである第１方向に沿って移動自在な自由端である。厳密には、透光性カバー３０の端部３６及び端部蓋４０は、「長手方向Ｘ」以外の方向にも伸縮するものであるが、実施の形態に係る灯具３においては、透光性カバー３０は「長手方向Ｘ」の伸縮を許容する構造（構成）を有するものとする。透光性カバー３０は、端部蓋４０と嵌合できるように、端部３６の外面部にはリブ３４が形成されていない。前述したように、押出成形によって押出した筒形部材を切断して透光性カバー３０を製造する場合には、長手方向Ｘに延設されたリブ３４のうち、端部３６に対応する部分は削除される。図３及び図５に示すように、透光性カバー３０の外周部３７は、一組の並行部３１、第１接続部３２及び第２接続部３３となる外殻部（外壁部）の外面側である。また、内周部３８は、一組の並行部３１、第１接続部３２及び第２接続部３３となる外殻部（外壁部）の内面側である。
【００２３】
（端部蓋４０の概要）
端部蓋４０は、透光性カバー３０の長手方向Ｘにおける両端部に取り付けられる。端部蓋４０は、少なくとも端部３６に形成された開口の一部及び端部３６を覆った状態で透光性カバー３０に取り付けられている。換言すれば、端部蓋４０は、開口を形成する端部３６を覆った状態で透光性カバー３０に取り付けられている。端部蓋４０は、灯具３の光源を覆う透光性カバー３０の開口部に配置される。端部蓋４０は、弾性部材である封止具４３を端部３６に押し当てるように透光性カバー３０に取り付けられる。端部蓋４０は、端部３６との間に挟まれて配置される弾性部材である封止具４３に端部３６と共に密着した状態で、端部３６に取り付けられる。端部蓋４０は、封止具４３を挟んで透光性カバー３０の端部３６に嵌着（嵌合）することによって、透光性カバー３０を密閉構造とする。ここで、端部蓋４０に取り付けられる取付部材５０及び透光性カバー３０は、照明装置１の使用環境温度及び灯具３の点灯時と消灯時とにおける温度の変化によって、特に、長手方向Ｘにおける伸縮量が異なる。端部蓋４０は、透光性カバー３０の密閉を維持しながら、透光性カバー３０及び取付部材５０の長手方向Ｘにおける端部同士が、相互に移動可能となるような構造となっている。なお、端部蓋４０の詳細な構造については後述する。
【００２４】
（封止具４３）
封止具４３は、透光性カバー３０の長手方向Ｘにおける両端部と端部蓋４０との間に挟まれた状態で、透光性カバー３０の長手方向Ｘにおける両端部に配置される弾性部材である。弾性部材である封止具４３は、透光性カバー３０の端部３６に取り付けられて端部３６の開口を塞いでいる。封止具４３は、樹脂材料を用いて製造されており、弾性変形するシール部材（ガスケット、パッキン等）である。そのため、封止具４３は、透光性カバー３０の長手方向Ｘにおける両端部と端部蓋４０との間に挟まれた状態で、透光性カバー３０の長手方向Ｘにおける両端部を密閉する。封止具４３は、樹脂材料を用いて弾性変形するように形成されて、透光性カバー３０及び端部蓋４０に密着する。
【００２５】
封止具４３は、封止具主部４３０と、内周部４３５と、外周部４３７と、接続部４３６とを有する。封止具４３は、封止具主部４３０と、内周部４３５と、外周部４３７と、接続部４３６とが一体に形成されている。封止具主部４３０は、内周部４３５の内側を塞ぐように形成される。封止具主部４３０は、後述する固定具５４の固定部５６と第２端部カバー４２の第２カバー主部４２０とに挟まれる。封止具主部４３０は、板状に形成されており、封止具４３と端部蓋４０とが係合した状態において、端部蓋４０と対向する面側に、電線挿通部４３１と封止具筒状部４３３とが形成されている。封止具主部４３０は、封止具４３と端部蓋４０とが係合した状態において、第２端部カバー４２の第２カバー主部４２０と当接する。電線挿通部４３１は、封止具４３と端部蓋４０とが係合した状態において、端部蓋４０と対向する面側から突出しており、電源線８１、接地線８２及び制御線８３を通過させる電線挿通孔４３２を形成している。封止具筒状部４３３は、電線挿通部４３１を挟んで２つ設けられているが、封止具筒状部４３３の形成数は、固定具５４の固定部５６の数以上であれば、１つでもよく、３つ以上でもよい。封止具筒状部４３３は、封止具４３と端部蓋４０とが係合した状態において、端部蓋４０と対向する面側から突出している。封止具筒状部４３３は、封止具４３と固定具５４とが係合した状態において、固定具５４の固定部５６から突出するボス部５７が挿入される。封止具筒状部４３３は、円筒状に形成されている。封止具筒状部４３３の先端には、固定ネジ７５をネジ止めするネジ挿通孔４３４が形成されている。
【００２６】
板状に形成された封止具主部４３０の周縁部には、内周部４３５が形成されている。内周部４３５は、弾性部材である封止具４３が、第２端部カバー４２及び透光性カバー３０と係合した状態において、第２端部カバー４２の端部カバー内周部４２５と透光性カバー３０の端部３６の内周部３８とに挟まれる部分である。
【００２７】
封止具４３の外周部４３７は、環状に形成されており内周部３８と対向するように内周部３８の外側に配置される。この外周部４３７は、封止具４３が、第１端部カバー４１及び透光性カバー３０と係合した状態において、第１端部カバー４１の外壁部４１０ａと透光性カバー３０の外周部３７とに挟まれる部分である。
【００２８】
封止具４３の接続部４３６は、封止具主部４３０の内周部３８と外周部４３７との間に位置する。接続部４３６は、封止具４３が、第１端部カバー４１及び透光性カバー３０と係合した状態において、第１端部カバー４１の第１カバー主部４１０と透光性カバー３０のカバー端部３５とに挟まれる部分である。
【００２９】
連結部材４４は連結具であり、灯具３の長手方向Ｘの両端部に備えられており、灯具３を照明器具２に取り付けるための取付金具ある。連結部材４４は、灯具３に固定され、また、固定具４８によって照明器具２に固定される。連結部材４４は、固定部４６の長手方向Ｘ（第１方向）における中央側（Ｘ２側）の面とボス部５７の端面とが当接した状態で、２つの固定ネジ７５を用いて固定具５４に取り付けられて固定される。連結部材４４は、端部蓋４０に対して、ネジ等を用いた直接的な固定はされていない。連結部材４４は、固定具５４のボス部５７に密着する封止具４３を介して位置決めされて間接的に固定される。すなわち、連結部材４４は、灯具３の長手方向Ｘである第１方向において、端部蓋４０の外側に配置されると共に、一部が端部蓋４０を貫通している取付部材５０に固定されると共に、他の一部が照明器具２に固定される。本実施の形態では、連結部材４４は、金属製の板材を折り曲げて形成されているものとする。ただし、連結部材４４は、金属製の板材の折り曲げから形成されるものに限定されるものではなく、例えば、樹脂、セラミック等、他の材料を用いて形成されてもよく、また、押出成形、積層造形等、他の方法で形成されてもよい。連結部材４４は、灯具側連結部４５と、固定部４６と、係合部４７と、を有している。
【００３０】
灯具側連結部４５は、固定部４６において、下方側（Ｚ２側）の端部から灯具３の端部側（Ｘ１側）に延設する板状の部材である。すなわち、灯具側連結部４５は、固定部４６の下縁部から突出する板状の部材である。灯具側連結部４５と固定部４６とは、屈曲している。灯具側連結部４５は、端部蓋４０と係合した状態において、端部蓋４０側とは反対側に突出している。換言すれば、灯具側連結部４５は、係合部４７の突出方向とは反対側に突出している。灯具側連結部４５は、灯具３が照明器具２に取り付けられている状態では、段差部４５０以外の上方の面が照明器具２の器具側連結部２７に当接する。
【００３１】
灯具側連結部４５には、固定具４８が取り付けられる。そのため、灯具側連結部４５には、面の高さが異なる段差部４５０が形成されており、段差部４５０には、固定具４８が挿入される固定具挿通部４５１が形成されている。段差部４５０は、短手方向Ｙの灯具側連結部４５の中央領域において一部下方（Ｚ２側）に窪ませた部分である。灯具側連結部４５の段差部４５０には、固定具挿通部４５１を通過した固定具４８を固定する第１ワッシャ４８５ａが配置される。第１ワッシャ４８５ａは、固定具４８と係合する座金である。固定具挿通部４５１は、段差部４５０の短手方向Ｙにおける略中央において、長手方向Ｘ（第１方向）における端部側（Ｘ１側）からスリット状に形成された縁部によって形成されている。固定具挿通部４５１は、灯具３の長手方向（Ｘ軸方向）に延びるように形成されている。固定具挿通部４５１は、灯具３の端部となる、Ｘ１側の端部において、段差部４５０の縁部が切り欠かれており、開放端４５１ａとなっている。固定具挿通部４５１には、固定具４８が開放端４５１ａを介して嵌入される。固定具挿通部４５１は、固定具４８の胴部４８１の括れ部より大きい幅寸法で形成されており、固定具４８の胴部４８１が挿通する。固定具挿通部４５１の形状はスリット状に限定されず、断面が楕円形を含む円形、多角形の貫通孔でもよい。なお、固定具挿通部４５１は、段差部４５０の短手方向Ｙにおける略中央において、長手方向Ｘ（第１方向）における端部側（Ｘ１側）からスリット状に形成された縁部によって形成される態様に限定されるものではない。固定具挿通部４５１は、灯具側連結部４５において、例えば、第１方向（長手方向Ｘ）と交差する方向に沿って形成されてもよい。すなわち、この場合、段差部４５０は、例えば、灯具側連結部４５の長手方向Ｘの中央領域において一部下方（Ｚ２側）に窪ませた部分に形成されてもよい。そして、固定具挿通部４５１は、長手方向Ｘにおける段差部４５０の略中央に縁部が切り欠かれた開放端４５１ａを形成し、開放端４５１ａから短手方向Ｙ（第２方向）にスリット状に形成されてもよい。なお、固定具挿通部４５１は、灯具側連結部４５にのみ形成されている。
【００３２】
固定部４６は、灯具側連結部４５において、長手方向Ｘ（第１方向）における中央側（Ｘ２側）の端部から上方に立設した部分である。固定部４６は、板状の部材である。固定部４６は、端部蓋４０及び封止具４３を、取付部材５０の固定具５４と共に挟持する。固定部４６には、固定ネジ７５をネジ止めする固定ネジ挿通孔４６０が形成されている。固定ネジ挿通孔４６０は、ボス部５７のネジ孔５８にねじ込まれる固定ネジ７５が挿通する貫通孔である。固定部４６は、固定ネジ挿通孔４６０に挿入される固定ネジ７５によってボス部５７に取り付けられる。
【００３３】
連結部材４４には、電源線８１、接地線８２、制御線８３等の電線を通過させるスリット４７１がスリット状に形成されている。スリット４７１は、上部スリット４７１０と、端部スリット４７１１とを有する。固定部４６に形成されているスリット４７１を端部スリット４７１１と称する。端部スリット４７１１は、連結部材４４の上下方向（Ｚ軸方向）に形成されている。端部スリット４７１１は、係合部４７に形成されている後述する上部スリット４７１０と繋がっている。スリット４７１は、電線挿通孔として設けられている。係合部４７は、灯具３の構造上の強度、あるいは、灯具３の照明器具２に対する取付上の強度には一切影響しない構成部分である。そのため、電線挿通孔として設けられているスリット４７１が、固定部４６と係合部４７との屈曲部分を通過するように、上部スリット４７１０と端部スリット４７１１とを連続して形成されていても灯具３の構造上の強度を低下させるおそれはない。また、電線挿通孔として設けられているスリット４７１が、固定部４６と係合部４７との屈曲部分を通過するように、上部スリット４７１０と端部スリット４７１１とを連続して形成されていても灯具３の照明器具２に対する取付上の強度を低下させるおそれはない。
【００３４】
固定部４６には、係合片挿通孔４６１が形成されてもよい。係合片挿通孔４６１は、第２端部カバー４２の第２カバー係合片４２２及び第２カバー係合爪４２３の断面形状に対応して、固定部４６に設けられる貫通孔である。係合片挿通孔４６１は、透光性カバー３０の伸長に伴い長手方向Ｘ（第１方向）に移動する第２端部カバー４２の第２カバー係合片４２２及び第２カバー係合爪４２３が、連結部材４４の固定部４６と干渉しないように形成されている。係合片挿通孔４６１は、透光性カバー３０の伸長の量、すなわち、第２カバー係合片４２２及び第２カバー係合爪４２３の移動の量が小さい場合、あるいは、端部蓋４０が一体形成されている場合等は不要であり、灯具３の必須の構成ではない。
【００３５】
係合部４７は、固定部４６において、上方側（Ｚ１側）の端部から長手方向Ｘ（第１方向）における中央側（Ｘ２側）に延設した部分である。すなわち、係合部４７は、固定部４６の上縁部から突出する板状の部材である。係合部４７と固定部４６とは、屈曲している。係合部４７は、端部蓋４０と係合した状態において、端部蓋４０側に突出しており、灯具３において、灯具３の上方側（Ｚ１側）に配置される。
【００３６】
上述したように、連結部材４４には、電源線８１、接地線８２、制御線８３等の電線を通過させるスリット４７１がスリット状に形成されている。係合部４７に形成されているスリット４７１を上部スリット４７１０と称する。上部スリット４７１０は、灯具３の長手方向Ｘに沿って形成されている。上部スリット４７１０は、固定部４６に形成された端部スリット４７１１と繋がっている。上部スリット４７１０は、透光性カバー３０の端部３６及び端部蓋４０を、長手方向Ｘ（第１方向）の移動が規制されない自由端とするために、連結部材４４の係合部４７に形成されたスリットである。上部スリット４７１０には、後述する挿入孔４７２から挿入されるカバー電線保持部４１６が、短手方向Ｙ及び上下方向Ｚに移動が規制された状態で係合する。なお、挿入孔４７２に配置されるカバー電線保持部４１６は、長手方向Ｘ（第１方向）には移動が規制されない。上部スリット４７１０に、カバー電線保持部４１６が係合した状態では、連結部材４４の端部蓋４０に対する位置が決まるので、固定ネジ７５を用いて連結部材４４をボス部５７に固定する際に固定ネジ７５の位置合わせがしやすくなる。電源線８１、接地線８２、制御線８３の全て又は一部を編組チューブ等で束線した状態では、一般的に硬くなり曲がり難くなる。しかし、連結部材４４は、上部スリット４７１０と繋がるように形成された端部スリット４７１１を有することにより、電源線８１等が束線されて曲がり難くなっても、配線がし易くなる。
【００３７】
係合部４７には、後述するカバー電線保持部４１６が挿入される挿入孔４７２が形成されている。挿入孔４７２は、上部スリット４７１０と連続して形成されている。挿入孔４７２は、固定部４６に形成されている貫通孔であり、上部スリット４７１０の長手方向Ｘ（第１方向）における中央側（Ｘ２側）と繋がって形成されている。挿入孔４７２は、カバー電線保持部４１６が挿入可能な形状及び寸法で形成されている。挿入孔４７２から挿入されたカバー電線保持部４１６は、透光性カバー３０の伸長に応じて、上部スリット４７１０と係合した状態で、長手方向Ｘに沿って移動する。そのためカバー電線保持部４１６は、透光性カバー３０の伸縮、及び透光性カバー３０の伸縮に伴う端部蓋４０及び封止具４３の移動を妨げない。
【００３８】
（取付部材５０）
取付部材５０は、図３、図５及び図６に示すように、発光部６０及び制御部８０等を透光性カバー３０内の空間に固定させる部材である。また、取付部材５０は、透光性カバー３０の両端部に取り付けられた端部蓋４０及び連結部材４４に取付部材５０を固定する部材である。取付部材５０は、台座５１と、固定具５４と、を有する。取付部材５０は、透光性カバー３０に収容される。そして、取付部材５０は、図５及び図６に示すように、固定ネジ７５によって、端部蓋４０及び連結部材４４に固定される。したがって、取付部材５０は、透光性カバー３０には直接固定されていないが、透光性カバー３０の長手方向Ｘにおける両側のカバー端部３５に嵌合（嵌着）している端部蓋４０を介して透光性カバー３０と繋がっている。
【００３９】
台座５１は、取付部材５０の主たる部分であり、発光部６０及び制御部８０等が取り付けられる。本実施の形態では、台座５１は、金属製の板材を折り曲げて形成されているものとする。ただし、台座５１は、金属製の板材を折り曲げて形成されたものに限定するものではなく、例えば、樹脂、セラミック等、金属以外の材料を用いて形成されたものでもよく、また、押出成形、積層造形等、他の方法で形成されたものでもよい。また、図示は省略するが、放熱効率（熱放射率）、あるいは、光の利用効率（反射率）等を向上させるために、台座５１に表面処理を施し、あるいは、台座５１に機能部材を敷設してもよい。台座５１は、取付面部５２と、側部５３とを有する。台座５１の取付面部５２は、長尺の平板状に形成されており、照射側の面である表面には、発光部６０が取り付けられる。また、器具側の面である裏面には、制御部取付部５２３を介して電源装置等の制御部８０が取り付けられる。
【００４０】
図５に示すように、台座５１の取付面部５２には、ネジ孔５２０が形成されている。ネジ孔５２０は、取付面部５２の長手方向Ｘの両端部に形成されている。このネジ孔５２０には、固定具５４を台座５１に固定するための固定ネジ７６が挿入される。取付面部５２には、給電線８４等を通過させる切り欠き部５２１が形成されている。切り欠き５２１部は、取付面部５２の長手方向Ｘの両端部において、取付面部５２の縁部に形成されている。なお、図６に示すように、灯具３の他方の端部における、取付面部５２には、切り欠き部５２１が形成されている替わりに、貫通孔である装着孔５２２が形成されている。この装着孔５２２には、基板捕捉部材７０が挿入される。基板捕捉部材７０は、捕捉部７０１と係合部７０２とからなり、発光部６０が透光性カバー３０に近づいたり接触したりしないように捕捉する機能を有する。
【００４１】
台座５１の側部５３は、取付面部５２の短手方向Ｙの両端部分から照射側に折り曲げられた立設部分である。側部５３は、取付面部５２の長手方向Ｘに沿って取付面部５２の縁部から立設していることで、台座５１の剛性を向上させる。本実施の形態では、側部５３は、制御部８０等が配置される器具側だけに立設させている。しかし、側部５３は、発光部６０が配置される照射側だけに立設させてもよく、あるいは、照射側及び器具側の両方に立設させてもよい。また、本実施の形態では、側部５３は、取付面部５２の短手方向Ｙの両端部分に立設させているが、たとえば、取付面部５２の短手方向Ｙにおける中央部分等、両端部分以外の位置に立設させてもよい。
【００４２】
固定具５４は、台座５１の長手方向Ｘの両端部分に配置されており、透光性カバー３０の両端部に取り付けられた端部蓋４０及び連結部材４４に取付部材５０を固定する部材である。固定具５４は、端部蓋４０を貫通すると共に連結部材４４が固定される。ここで、本実施の形態では、固定具５４は台座５１と別部材で構成されているが、固定具５４の構成は、当該構成に限定するものではない。たとえば、台座５１の両端部分を折り曲げる等して、台座５１と固定具５４とを一体に形成し、台座５１が固定具５４と同じ機能をもつ部分を有するようにしてもよい。固定具５４は、取付ネジ（図示は省略）等の固定部材を用いて台座５１に取り付けてもよい。
【００４３】
固定具５４は、取付部５５と、固定部５６とを有しており、板金を折り曲げて製造している。なお、固定具５４は、金具であるが、金具に限定するものではなく、例えば、樹脂、セラミック等、他の材料を用いて形成されてもよく、また、押出成形、積層造形等、他の方法で形成されたものでもよい。
【００４４】
固定具５４の取付部５５は、固定具５４を台座５１に取り付ける部分であり、固定ネジ７６を用いて台座５１の両端部分に固定される。取付部５５は、例えば、カシメ、溶着（溶接）又は嵌着（係着）等の方法で台座５１と構造的に一体化されてもよい。
【００４５】
固定具５４の固定部５６は、連結部材４４の固定部４６と共に端部蓋４０と封止具４３とを挟持する。すなわち、透光性カバー３０と、封止具４３と、端部蓋４０と、連結部材４４とが組み合わされた状態において、固定部５６と連結部材４４の固定部４６との間には、封止具４３が配置されている。固定部５６には、ボス部５７が設けられている。
【００４６】
ボス部５７は、例えば、カシメ、溶着（溶接）又は嵌着（係着）等の方法によって固定部５６に取り付けられている。ボス部５７には、固定ネジ７５がねじ込まれるネジ孔５８が形成されている。ネジ孔５８の内周側には、ネジ溝が形成されている。そして、連結部材４４の外側から、連結部材４４の固定ネジ挿通孔４６０、第２端部カバー４２の端部カバー挿通部４２１、第１端部カバー４１の第１カバー貫通孔４１１及び封止具４３のネジ挿通孔４３４に固定ネジ７５が挿通される。そして固定ネジ７５が、ボス部５７のネジ孔５８にねじ込まれて、連結部材４４は取付部材５０の固定具５４に固定される。すなわち、連結部材４４が固定されるのは、固定具５４のボス部５７である。
【００４７】
（発光部６０）
発光部６０は、図３及び図７に示すように、発光素子６１、基板６２等を有している。発光素子６１は、電力供給により発光する。本実施の形態では、発光素子６１として、発光ダイオード（Ｌｉｇｈｔ  Ｅｍｉｔｔｉｎｇ  Ｄｉｏｄｅ；以下、ＬＥＤと称す）素子を用いており、基板６２の実装面に、長手方向Ｘに沿って、列状、千鳥状等に実装される。そして、本実施の形態の発光素子６１は、波長が４４０〜４８０〔ｎｍ〕の青色光を出射するＬＥＤチップ上に、青色光を黄色光に波長変換する蛍光体を配してパッケージ化された面実装部品である疑似白色ＬＥＤ素子である。ここで、発光素子６１が出射する光は、光束値が最大であり、発光面に垂直な光軸Ｌに対して、対称に照射角αだけ広がる。本実施の形態では、発光素子６１の照射角αは、１２０度であるものとする。発光素子６１は、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）、無機ＥＬ等を用いてもよい。基板６２は、ガラス−エポキシ基板（ＦＲ−４）、ガラス−コンポジット基板（ＣＥＭ−３）、紙エポキシ基板（ＦＲ−３）、紙フェノール基板（ＸＰＣ）、金属ベース基板等が用いられる。
【００４８】
制御部８０は、電源装置であり、外部から供給される電力から発光素子６１を点灯させる電力に変換して、発光素子６１に供給する。制御部８０は、制御部取付部５２３を介して台座５１の取付面部５２に取り付けられている。本実施の形態では、制御部８０は、前述したように、台座５１の取付面部５２の裏面に、ネジ（図示は省略）等の固定部材を用いて取り付けられた状態で、発光素子６１等と共に筒状の透光性カバー３０に収容されている。ただし、制御部８０は、灯具３ではなく、照明器具２に取り付けられてもよい。この場合、電線は、制御部８０から発光素子６１に供給される電力の供給経路として機能する給電線となる。本実施の形態における電源線８１、接地線８２及び制御線８３等の電線は、一端は制御部８０に接続される。そして、他端は、照明器具２に取り付けられている端子台（図示は省略）に接続される。
【００４９】
（端部蓋４０の詳細）
図８は、本発明の実施の形態に係る灯具３の端部蓋４０を説明する分割斜視図である。図９は、本発明の実施の形態に係る灯具３の、図８の反対側から見た端部蓋４０を説明する分割斜視図である。図５〜図９を用いて端部蓋４０の詳細な構造について説明する。端部蓋４０は、外カバーとなる第１端部カバー４１と内カバーとなる第２端部カバー４２とを有している。内カバーとなる第２端部カバー４２は、外カバーとなる第１端部カバー４１内に配置される。すなわち、端部蓋４０は、複数の部品を一体化して構成されている。ここで、本実施の形態の第１端部カバー４１及び第２端部カバー４２は、樹脂材料を用いて形成されているものとして説明する。ただし、第１端部カバー４１及び第２端部カバー４２の材料は、樹脂材料に限定されるものではない。樹脂材料以外の金属材料、セラミック材料等を用いて形成されてもよい。また、本実施の形態では、第１端部カバー４１と第２端部カバー４２とを別部材とし、嵌着（嵌合）して一体化するようにしているが、あらかじめ一体化された１つの部材として成形するようにしてもよい。
【００５０】
第１端部カバー４１は、第１カバー主部４１０、連結ガイド４１３、カバー下面部４１４、カバー電線保持部４１６、カバー端面部４１７及び端部カバー外周部４１９を有している。第１カバー主部４１０は、板状の部材であり、端部蓋４０のベースとなる外端部である。第１カバー主部４１０は、図７に示すように、灯具３の外端部を形成し、透光性カバー３０と、封止具４３と、端部蓋４０とが組み合わされた状態において、長手方向Ｘである第１方向において端部３６より外側に配置される。
【００５１】
連結ガイド４１３は、連結部材４４の段差部４５０に形成された固定具挿通部４５１にあらかじめ取り付けられている固定具４８に向かって、図２に示すカバー下面貫通孔４１５からドライバ等の工具を案内する筒状のガイド壁である。連結ガイド４１３は、後述するカバー下面部４１４の底面部４１４ａから立ち上がり筒状に形成されている。連結ガイド４１３の直径は、固定具４８の最大径となる固定具４８の頭部の直径よりも大きい。連結ガイド４１３の詳細は、後述する。
【００５２】
カバー下面部４１４は、第１方向（長手方向Ｘ）における第１カバー主部４１０より端部側に形成され、連結部材４４、固定具４８、照明器具２の器具側連結部２７を隠す化粧カバーの一部として機能する。カバー下面部４１４は、底面部４１４ａと、側面部４１４ｂとを有する。底面部４１４ａは、端部蓋４０が灯具３に取り付けられた場合に、照明器具２と対向する。底面部４１４ａには、連結ガイド４１３の内面壁に沿って、貫通孔であるカバー下面貫通孔４１５が形成されている。側面部４１４ｂは、端部蓋４０が灯具３に取り付けられた場合に、灯具３の短手方向Ｙ（第２方向）に配置される。カバー下面部４１４は、本実施の形態では、意匠性に配慮して端部カバー外周部４１９と連続させている。カバー下面部４１４は、第１カバー主部４１０の周縁部に形成された側壁であり、第１カバー主部４１０の周縁部の側面から下面にかけて形成されている。このカバー下面部４１４は端部カバー外周部４１９と共に、第１カバー主部４１０の周縁部に形成された側壁である外壁部４１０ａを形成する。外壁部４１０ａは、外端部である第１カバー主部４１０の周縁から起立して周状の壁形状として形成されている。すなわち、第１端部カバー４１は、外端部である第１カバー主部４１０と、外壁部４１０ａとを有する。外壁部４１０ａは、外端部である第１カバー主部４１０に形成され、透光性カバー３０と、封止具４３と、端部蓋４０とが組み合わされた状態において、長手方向Ｘである第１方向と交差する第２方向において端部３６より外側に配置される。ここで第２方向とは、短手方向Ｙ及び上下方向Ｚを含む、長手方向Ｘと交差する全方向である。
【００５３】
カバー電線保持部４１６は、端部カバー外周部４１９の上面部に形成されている。カバー電線保持部４１６は、端部カバー外周部４１９から上方（Ｚ１方向）に突出している。カバー電線保持部４１６は、照明器具２に設けられた端子台（図示は省略）と制御部８０とが電気的に接続され、制御部８０に外部電力を供給する電源線８１、灯具３の電位を設定する接地線８２及び外部から制御部８０を制御する制御線８３等を保持する。
【００５４】
カバー端面部４１７は、第１方向（長手方向Ｘ）におけるカバー下面部４１４の端部側を覆うように形成され、連結部材４４、固定具４８、照明器具２の器具側連結部２７の端部側を隠す化粧カバーの一部として機能する。カバー端面部４１７は、端部蓋４０が灯具３に取り付けられた場合に、長手方向Ｘ（第１方向）の最外壁を構成する。
【００５５】
端部カバー外周部４１９は、第１カバー主部４１０の周縁部に形成された側壁であり、第１カバー主部４１０の周縁部の側面から上面にかけて形成されている。この端部カバー外周部４１９はカバー下面部４１４と共に、第１カバー主部４１０の周縁部に形成された側壁である外壁部４１０ａを形成する。端部カバー外周部４１９は、封止具４３を間にして、透光性カバー３０の端部３６に嵌着される部分である。本実施の形態では、端部カバー外周部４１９は、意匠性に配慮してカバー下面部４１４と連続させている。
【００５６】
第１端部カバー４１には、第１カバー貫通孔４１１、第１カバー連結孔４１２、カバー下面貫通孔４１５及びカバー端面貫通孔４１８が形成されている。第１カバー貫通孔４１１には、端部蓋４０と、封止具４３と、取付部材５０とが組み合わされた状態において、封止具筒状部４３３及びボス部５７が挿通される。本実施の形態では、第１カバー連結孔４１２は、第１カバー主部４１０に４個形成されており、第２端部カバー４２に形成された４個の第２カバー係合片４２２が挿入される。第１カバー連結孔４１２には、第２カバー係合片４２２の先端にそれぞれ形成された第２カバー係合爪４２３が引っ掛かり、係着することによって、第２端部カバー４２が第１端部カバー４１に取り付けられる。カバー下面貫通孔４１５は、連結部材４４の段差部４５０に形成された固定具挿通部４５１にあらかじめ取り付けられている固定具４８に向かって、ドライバ等の工具を挿入する施工用の孔であり、施工後はカバー蓋４９によって塞がれる孔である。カバー下面貫通孔４１５は、万が一、固定具４８が、固定具挿通部４５１から外れたときには固定具４８の取り出し口として機能する。カバー端面貫通孔４１８は、端部カバー内に溜まる水分等の液体あるいは塵埃等が排出される排出孔である。
【００５７】
第２端部カバー４２は、第１端部カバー４１と共に端部蓋４０を構成し、第２端部カバー４２と第１端部カバー４１とが組み合わされた状態で、第１端部カバー４１の内部に配置される。端部蓋４０は、第２端部カバー４２の端部カバー内周部４２５が形成する開口と、第１端部カバー４１の外壁部４１０ａが形成する開口と、が向き合うように嵌め合わされ、箱状に形成される。端部蓋４０において、第１端部カバー４１の第１カバー主部４１０と、第２端部カバー４２の第２カバー主部４２０とは対向する壁を構成する。
【００５８】
第２端部カバー４２は、第２カバー主部４２０、第２カバー係合片４２２、第２カバー係合爪４２３及び端部カバー内周部４２５を有している。第２カバー主部４２０は、板状の部材であり、端部蓋４０と封止具４３とが組み合わされた状態において、封止具４３の封止具主部４３０と対向して当接する内端部である。内端部である第２カバー主部４２０は、灯具３の長手方向Ｘである第１方向において、内壁部である端部カバー内周部４２５の、外端部である第１カバー主部４１０とは反対側の端部に、端部蓋４０における第１カバー主部４１０とは反対側の面を構成する。すなわち、第２端部カバー４２は、内端部である第２カバー主部４２０と、内壁部である端部カバー内周部４２５とを有する。
【００５９】
第２カバー係合片４２２は、本実施の形態では４個形成されており、第２カバー係合片４２２は、第１端部カバー４１と第２端部カバー４２とが組み合わされた状態において、第１端部カバー４１に形成された４個の第１カバー連結孔４１２に挿入される。第２カバー係合爪４２３は、第２カバー係合片４２２の先端にそれぞれ設けられており、第１端部カバー４１の第１カバー主部４１０に設けられた第１カバー連結孔４１２に引っ掛かることによって係着する。第２カバー係合爪４２３が、第１カバー連結孔４１２に係着することによって、第２端部カバー４２が第１端部カバー４１に取り付けられ、第１端部カバー４１と第２端部カバー４２とは一体の構造体となる。
【００６０】
端部カバー内周部４２５は、第２カバー主部４２０の周縁部に形成された側壁である。端部カバー内周部４２５は、端部蓋４０において、封止具筒状部４３３及び端部３６を挟んで、外壁部４１０ａと対向するように周状の壁形状として形成された内壁部である。端部カバー内周部４２５は、透光性カバー３０と、封止具４３と、端部蓋４０とが組み合わされた状態において、第２方向において端部３６より内側に配置される内壁部である。なお、端部カバー内周部４２５の詳細な構造については、後述する。
【００６１】
第２端部カバー４２には、端部カバー挿通部４２１が形成されている。端部カバー挿通部４２１には、封止具４３の封止具主部４３０に形成されている電線挿通部４３１及び封止具４３の封止具主部４３０に形成されている封止具筒状部４３３が挿通される。また、端部カバー挿通部４２１には、端部蓋４０と、封止具４３と、取付部材５０とが組み合わされた状態において、封止具筒状部４３３及びボス部５７が挿通される。端部カバー挿通部４２１を形成する縁部に沿って、挿通壁４２１ａが形成されている。挿通壁４２１ａは、端部カバー挿通部４２１の縁部に沿って形成された周壁であり、端部カバー内周部４２５と対向するように形成されている。挿通壁４２１ａは、端部蓋４０と、封止具４３と、取付部材５０とが組み合わされた状態において、内部にボス部５７が挿通された封止具筒状部４３３と当接する。
【００６２】
図１０は、本発明の実施の形態に係る灯具３の封止構造１００を説明する模式図である。図１０を用いて、端部カバー内周部４２５の詳細な構造を説明すると共に、灯具３の封止構造１００を説明する。灯具３の封止構造１００の構成要素は、端部蓋４０、封止具４３、及び透光性カバー３０を有する。端部蓋４０は、透光性カバー３０と、封止具４３と、端部蓋４０とが組み合わされた状態において、灯具３の長手方向Ｘである第１方向において、弾性部材である封止具４３の外側に配置される外端部である第１カバー主部４１０を有する。また、端部蓋４０は、透光性カバー３０と、封止具４３と、端部蓋４０とが組み合わされた状態において、長手方向Ｘである第１方向と交差する第２方向において端部３６より外側に配置される外壁部４１０ａを有する。なお、端部カバー外周部４１９の内周面である端部カバー外周部内面部４１９０は、本実施の形態では、通常の樹脂成形に必要な傾斜角θ１が、長手方向Ｘに沿った基準線Ｔに対して、傾斜角θ１≒１°程度となる抜きテーパが形成されている。さらに、端部蓋４０は、透光性カバー３０と、封止具４３と、端部蓋４０とが組み合わされた状態において、第２方向において端部３６より内側に配置される内壁部である端部カバー内周部４２５を有する。
【００６３】
弾性部材である封止具４３は、端部３６と、外端部である第１カバー主部４１０、外壁部４１０ａ、内壁部である端部カバー内周部４２５とに挟まれた状態で端部３６に取り付けられている。より詳細には、弾性部材である封止具４３は、透光性カバー３０と、封止具４３と、端部蓋４０とが組み合わされた状態において、封止具４３の外周部４３７が、端部３６及び外壁部４１０ａに挟まれた状態で端部３６に取り付けられている。また、弾性部材である封止具４３は、透光性カバー３０と、封止具４３と、端部蓋４０とが組み合わされた状態において、封止具４３の内周部４３５が、端部３６及び内壁部である端部カバー内周部４２５に挟まれた状態で端部３６に取り付けられている。すなわち、弾性部材である封止具４３は、端部３６、内端部である第２カバー主部４２０、外壁部４１０ａ、及び内壁部である端部カバー内周部４２５と密着した状態で端部３６に取り付けられて端部３６が形成する開口を封止している。
【００６４】
端部カバー内周部外面部４２５０は、端部カバー内周部４２５の外周面であり、第１傾斜部として傾斜面を形成している。第１傾斜部である端部カバー内周部外面部４２５０は、第１方向（長手方向Ｘ）において、第２カバー主部４２０から第１カバー主部４１０に向うほど、第１方向（長手方向Ｘ）と交差する第２方向において端部３６との距離が大きくなるように傾斜している。すなわち、内壁部である端部カバー内周部４２５には、第１方向において透光性カバー３０の中央から端部３６に向うほど、第２方向における端部３６との距離が大きくなるように傾斜する第１傾斜部である端部カバー内周部外面部４２５０が形成されている。換言すれば、端部カバー内周部外面部４２５０は、第１方向（長手方向Ｘ）において、第１カバー主部４１０から第２カバー主部４２０の側に向うほど、第１方向（長手方向Ｘ）と交差する第２方向において端部３６との距離が小さくなるように傾斜している。すなわち、内壁部である端部カバー内周部４２５には、第１方向において透光性カバー３０の端部３６から中央に向うほど、第２方向における端部３６との距離が小さくなるように傾斜する第１傾斜部である端部カバー内周部外面部４２５０が形成されている。
【００６５】
端部カバー内周部外面部４２５０の傾斜角θ２は、長手方向Ｘに沿った基準線Ｔに対して、傾斜角θ２＞０°であり、好ましくは、傾斜角θ２≧傾斜角θ１である。なお、傾斜角θ２＝傾斜角θ１の場合には、端部蓋４０は、第２方向における外壁部４１０ａと内壁部である端部カバー内周部４２５との間の距離が、灯具３の長手方向Ｘである第１方向において同じである。
【００６６】
＜灯具３の組み立て＞
灯具３の組み立てに際して、通常は、まず、封止具４３を透光性カバー３０の端部３６に取り付け、その後に、封止具４３を間に挟むようにして端部蓋４０を透光性カバー３０の端部３６に取り付ける順序が一般的である。この際、透光性カバー３０は、封止具４３の、内周部外面部４３５２と、外周部内面部４３７０との間に配置される。例えば、灯具３を組み立てる際に、端部蓋４０に嵌め込まれた封止具４３は外れ難いため、灯具３は、組み立て性を損なうことなく、順序を変更して組み立てることも可能である。灯具３を組み立てる際の、封止具４３の装着（嵌め込み）の方法と手順とは、選択肢が増えるので、灯具３は、様々な手順によって組み立てることができる。本実施の形態において、端部カバー内周部外面部４２５０は端部カバー内周部４２５の全周に渡って形成されている。そのため、上記の第２方向は、第１方向（長手方向Ｘ）と交わる全方向（３６０°）となる。なお、傾斜部を形成する端部カバー内周部外面部４２５０は、端部カバー内周部４２５の外周面の全ての面に設けられている必要はなく、少なくとも端部カバー内周部４２５の外周面の一部に設けられていればよい。ここで、端部カバー内周部４２５の外周面の一部とは、第１方向（長手方向Ｘ）における一部分、あるいは、周方向における一部分の何れでもよい。端部カバー内周部外面部４２５０は、端部カバー内周部４２５の一箇所に設けられてもよく、あるいは、複数個所に設けられてもよい。
【００６７】
＜作用効果＞
以上のように、弾性部材である封止具４３は、端部３６と、外端部である第１カバー主部４１０、外壁部４１０ａ及び内壁部である端部カバー内周部４２５と、に挟まれた状態で端部３６に取り付けられている。そして、内壁部である端部カバー内周部４２５には、第１方向において透光性カバー３０の中央から端部３６に向うほど、第２方向における端部３６との距離が大きくなるように傾斜する第１傾斜部である端部カバー内周部外面部４２５０が形成されている。端部カバー内周部４２５が端部カバー内周部外面部４２５０を備え、端部カバー内周部外面部４２５０がこのように傾斜していることによって端部蓋４０に嵌め込まれた弾性部材である封止具４３は外れ難くなる。封止具４３の内周部内面部４３５０は、第１端部カバー４１、第２端部カバー４２及び封止具４３が組み合わされた状態において、傾斜した端部カバー内周部外面部４２５０と対向し、当接し、及び、密着する部分である。封止具４３の内周部内面部４３５０は、第１端部カバー４１、第２端部カバー４２及び封止具４３が組み合わされた状態において、端部カバー内周部４２５の端部カバー内周部外面部４２５０と面接触する。そのため、封止具４３の内周部内面部４３５０は、端部カバー内周部外面部４２５０の傾斜によって、移動が規制される。封止具４３が密着している透光性カバー３０に対して、第１方向（長手方向Ｘ）において、端部蓋４０から抜ける向き（図１０における右向きとなる中向きＸ２）に力が加わった場合、透光性カバー３０及び封止具４３は、端部蓋４０から外れる虞はない。仮に、封止具４３が端部蓋４０から抜ける向き（図１０における右向きとなる中向きＸ２）に移動すると、封止具４３は透光性カバー３０の端部３６に向かって（図１０における上向きに）移動する。そのため、透光性カバー３０及び端部蓋４０と、封止具４３との密着度が強くなり、透光性カバー３０及び封止具４３は、端部蓋４０から外れ難くなる。より詳細には、灯具３及び灯具３の封止構造１００は、透光性カバー３０の端部３６、端部蓋４０の端部カバー内周部外面部４２５０及び端部カバー外周部内面部４１９０と、封止具４３との密着度が強くなる。そのため、灯具３及び灯具３の封止構造１００は、透光性カバー３０及び封止具４３が、端部蓋４０から外れ難くなる。つまり、灯具３及び灯具３の封止構造１００は、透光性カバー３０及び封止具４３が、端部蓋４０から外れる虞がない。
【００６８】
また、端部蓋４０は、上記のような形状をなしており、封止具４３の外周部４３７における弾性変形量は、接続部４３６の側よりも、雨水が浸入する側である封止具主部４３０の側の方が相対的に小さくなるため、灯具３は止水性を維持しやすくなる。また、透光性カバー３０及び端部蓋４０と、封止具４３とは強く密着され、灯具３は止水性が維持される。より詳細には、透光性カバー３０の端部３６、端部蓋４０の端部カバー内周部外面部４２５０及び端部カバー外周部内面部４１９０と、封止具４３と、は強く密着され、灯具３及び封止構造１００は止水性が維持される。
【００６９】
また、外郭である透光性カバー３０は、少なくとも一方の端部３６が開口する長尺形状の中空体であると共に、発光素子６１が実装された基板６２を内部に収納し、透光性カバー３０の長手方向Ｘが第１方向である。そのため、灯具３は、透光性カバー３０、封止具４３及び端部蓋４０の密着度を確保し、止水性を維持することができ、その結果、灯具３及び灯具３の封止構造１００は、中空体内部に配置した発光素子６１を保護することができる。
【００７０】
また、端部蓋４０は、第２方向における外壁部４１０ａと内壁部である端部カバー内周部４２５との距離が、第１方向において、外郭である透光性カバー３０の中央から端部３６に向うほど大きくなる。したがって、端部カバー内周部外面部４２５０が傾斜を形成し端部蓋４０に嵌め込まれた弾性部材である封止具４３は外れ難くなる。また、透光性カバー３０の端部３６、端部蓋４０の端部カバー内周部外面部４２５０及び端部カバー外周部内面部４１９０と、封止具４３と、は強く密着され、灯具３及び灯具３の封止構造１００は、止水性が維持される。
【００７１】
また、端部蓋４０は、第２方向における外壁部４１０ａと内壁部である端部カバー内周部４２５との距離が、第１方向において同じ場合がある。この場合に、端部カバー外周部内面部４１９０の傾斜と端部カバー内周部外面部４２５０の傾斜が同じ角度であるため、端部蓋４０との組み合わせ時において、ユーザーが封止具４３と端部蓋４０とを係合させやすくなる。
【００７２】
（変形例１）
図１１は、本発明の実施の形態に係る灯具３の封止構造１００の第１の変形例を説明する模式図である。端部カバー内周部外面部４２５０ａには、通常の樹脂成形に必要な傾斜角θ３が、長手方向Ｘに沿った基準線Ｔに対して、傾斜角θ３≒１°程度となる抜きテーパが形成されている。また、端部カバー外周部内面部４１９０ａが、第１傾斜部相当の第２傾斜部として傾斜面を形成している変形例である。端部カバー外周部内面部４１９０ａは、第１方向（長手方向Ｘ）において、第１カバー主部４１０から第２カバー主部４２０の側に向うほど、第１方向（長手方向Ｘ）と交差する第２方向において端部３６との距離が小さくなるように傾斜している。すなわち、外壁部４１０ａには、第１方向において透光性カバー３０の端部３６から中央に向うほど、第２方向における端部３６との距離が小さくなるように傾斜する第２傾斜部である端部カバー外周部内面部４１９０ａが形成されている。換言すれば、第２傾斜部である端部カバー外周部内面部４１９０ａは、第１方向（長手方向Ｘ）において、第２カバー主部４２０から第１カバー主部４１０に向うほど、第１方向と交差する第２方向において端部３６との距離が大きくなるように傾斜している。すなわち、外壁部４１０ａには、第１方向において透光性カバー３０の中央から端部３６に向うほど、第２方向における端部３６との距離が大きくなるように傾斜する第２傾斜部である端部カバー外周部内面部４１９０ａが形成されている。
【００７３】
端部カバー外周部内面部４１９０ａの傾斜角θ４は、長手方向Ｘに沿った基準線Ｔに対して、傾斜角θ４＞０°であり、好ましくは、傾斜角θ４≧傾斜角θ３である。なお、傾斜角θ４＝傾斜角θ３の場合には、端部蓋４０は、第２方向における外壁部４１０ａと内壁部である端部カバー内周部４２５との間の距離が、灯具３の長手方向Ｘである第１方向において同じである。また、第２端部カバー４２ａにカバー鍔部４２６が形成され、第２端部カバー４２ａと封止具４３ａとが組み合わされた状態において、カバー鍔部４２６は、封止具４３ａの接続部４３６と対向し、当接し、及び密着する。
【００７４】
以上のように、弾性部材である封止具４３は、端部３６と、外端部である第１カバー主部４１０、外壁部４１０ａ及び内壁部である端部カバー内周部４２５と、に挟まれた状態で端部３６に取り付けられている。外壁部４１０ａには、第１方向において透光性カバー３０の中央から端部３６に向うほど、第２方向における端部３６との距離が大きくなるように傾斜する第２傾斜部である端部カバー外周部内面部４１９０ａが形成されている。外壁部４１０ａが端部カバー外周部内面部４１９０ａを備え、端部カバー外周部内面部４１９０ａがこのように傾斜していることによって端部蓋４０に嵌め込まれた弾性部材である封止具４３は外れ難くなる。封止具４３の外周部外面部４３７２は、第１端部カバー４１、第２端部カバー４２及び封止具４３が組み合わされた状態において、傾斜した端部カバー外周部内面部４１９０ａと対向し、当接し、及び、密着する部分である。封止具４３の外周部外面部４３７２は、第１端部カバー４１、第２端部カバー４２及び封止具４３が組み合わされた状態において、外壁部４１０ａの端部カバー外周部内面部４１９０ａと面接触する。そのため、封止具４３の外周部外面部４３７２は、端部カバー外周部内面部４１９０ａの傾斜によって、移動が規制される。封止具４３が密着している透光性カバー３０に対して、第１方向（長手方向Ｘ）において、端部蓋４０から抜ける向き（図１１における右向きとなる中向きＸ２）に力が加わった場合、透光性カバー３０及び封止具４３は、端部蓋４０から外れる虞はない。仮に、封止具４３が端部蓋４０から抜ける向き（図１１における右向きとなる中向きＸ２）に移動すると、封止具４３は透光性カバー３０の端部３６に向かって（図１１における上向きに）移動する。そのため、透光性カバー３０及び端部蓋４０と、封止具４３との密着度が強くなり、透光性カバー３０及び封止具４３は、端部蓋４０から外れ難くなる。より詳細には、透光性カバー３０の端部３６、端部蓋４０の端部カバー内周部外面部４２５０ａ及び端部カバー外周部内面部４１９０ａと、封止具４３との密着度が強くなり、透光性カバー３０及び封止具４３は、端部蓋４０から外れ難くなる。つまり、灯具３及び灯具３の封止構造１００は、透光性カバー３０及び封止具４３が、端部蓋４０から外れる虞がない。
【００７５】
また、端部蓋４０は、上記のような形状をなしており、封止具４３の外周部４３７における弾性変形量は、接続部４３６の側よりも、雨水が浸入する側である封止具主部４３０の側の方が相対的に小さくなるため、灯具３は止水性を維持しやすくなる。また、透光性カバー３０及び端部蓋４０と、封止具４３とは強く密着され、灯具３は止水性が維持される。より詳細には、透光性カバー３０の端部３６、端部蓋４０の端部カバー内周部外面部４２５０ａ及び端部カバー外周部内面部４１９０ａと、封止具４３と、は強く密着され、灯具３及び灯具３の封止構造１００は、止水性が維持される。
【００７６】
また、端部蓋４０は、第２方向における外壁部４１０ａと内壁部である端部カバー内周部４２５との距離が、第１方向において、外郭である透光性カバー３０の中央から端部３６に向うほど大きくなる。したがって、端部カバー外周部内面部４１９０ａが傾斜を形成し端部蓋４０に嵌め込まれた弾性部材である封止具４３は外れ難くなる。また、透光性カバー３０の端部３６、端部蓋４０の端部カバー内周部外面部４２５０ａ及び端部カバー外周部内面部４１９０ａと、封止具４３と、は強く密着され、灯具３及び灯具３の封止構造１００は、止水性が維持される。
【００７７】
また、端部蓋４０は、第２方向における外壁部４１０ａと内壁部である端部カバー内周部４２５との距離が、第１方向において同じ場合がある。この場合に、端部カバー外周部内面部４１９０ａの傾斜と端部カバー内周部外面部４２５０ａの傾斜が同じ角度であるため、端部蓋４０との組み合わせ時において、ユーザーが封止具４３と端部蓋４０とを係合させやすくなる。
【００７８】
（変形例２）
図１２は、本発明の実施の形態に係る灯具３の封止構造１００の第２の変形例を説明する模式図である。変形例２の灯具３は、端部カバー内周部外面部４２５０ｂを第１傾斜部として、端部カバー外周部内面部４１９０ｂを第２傾斜部として機能させる変形例である。すなわち、端部カバー内周部外面部４２５０ｂは、端部カバー内周部４２５の外周面であり、第１傾斜部として傾斜面を形成している。
【００７９】
第１傾斜部である端部カバー内周部外面部４２５０ｂは、第１方向（長手方向Ｘ）において、第２カバー主部４２０から第１カバー主部４１０に向うほど、第１方向（長手方向Ｘ）と交差する第２方向において端部３６との距離が大きくなるように傾斜している。すなわち、内壁部である端部カバー内周部４２５には、第１方向において透光性カバー３０の中央から端部３６に向うほど、第２方向における端部３６との距離が大きくなるように傾斜する第１傾斜部である端部カバー内周部外面部４２５０ｂが形成されている。換言すれば、端部カバー内周部外面部４２５０ｂは、第１方向（長手方向Ｘ）において、第１カバー主部４１０から第２カバー主部４２０の側に向うほど、第１方向（長手方向Ｘ）と交差する第２方向において端部３６との距離が小さくなるように傾斜している。すなわち、内壁部である端部カバー内周部４２５には、第１方向において透光性カバー３０の端部３６から中央に向うほど、第２方向における端部３６との距離が小さくなるように傾斜する第１傾斜部である端部カバー内周部外面部４２５０ｂが形成されている。端部カバー内周部外面部４２５０ｂの傾斜角θ２は、長手方向Ｘに沿った基準線Ｔに対して、傾斜角θ２＞０°である。
【００８０】
また、端部カバー外周部内面部４１９０ｂが、第１傾斜部相当の第２傾斜部として傾斜面を形成している。端部カバー外周部内面部４１９０ｂは、第１方向（長手方向Ｘ）において、第１カバー主部４１０から第２カバー主部４２０の側に向うほど、第１方向（長手方向Ｘ）と交差する第２方向において端部３６との距離が小さくなるように傾斜している。すなわち、外壁部４１０ａには、第１方向において透光性カバー３０の端部３６から中央に向うほど、第２方向における端部３６との距離が小さくなるように傾斜する第２傾斜部である端部カバー外周部内面部４１９０ｂが形成されている。換言すれば、第２傾斜部である端部カバー外周部内面部４１９０ｂは、第１方向（長手方向Ｘ）において、第２カバー主部４２０から第１カバー主部４１０に向うほど、第１方向と交差する第２方向において端部３６との距離が大きくなるように傾斜している。すなわち、外壁部４１０ａには、第１方向において透光性カバー３０の中央から端部３６に向うほど、第２方向における端部３６との距離が大きくなるように傾斜する第２傾斜部である端部カバー外周部内面部４１９０ｂが形成されている。端部カバー外周部内面部４１９０ｂの傾斜角θ４は、長手方向Ｘに沿った基準線Ｔに対して、傾斜角θ４＞０°である。
【００８１】
以上のように、弾性部材である封止具４３は、端部３６と、外端部である第１カバー主部４１０、外壁部４１０ａ及び内壁部である端部カバー内周部４２５と、に挟まれた状態で端部３６に取り付けられている。そして、内壁部である端部カバー内周部４２５には、第１方向において透光性カバー３０の中央から端部３６に向うほど、第２方向における端部３６との距離が大きくなるように傾斜する第１傾斜部である端部カバー内周部外面部４２５０ｂが形成されている。また、弾性部材である封止具４３は、端部３６と、外端部である第１カバー主部４１０、外壁部４１０ａ及び内壁部である端部カバー内周部４２５と、に挟まれた状態で端部３６に取り付けられている。外壁部４１０ａには、第１方向において透光性カバー３０の中央から端部３６に向うほど、第２方向における端部３６との距離が大きくなるように傾斜する第２傾斜部である端部カバー外周部内面部４１９０ｂが形成されている。そのため、上述のように、透光性カバー３０及び端部蓋４０と、封止具４３との密着度が強くなり、透光性カバー３０及び封止具４３は、端部蓋４０から外れ難くなる。より詳細には、透光性カバー３０の端部３６、端部蓋４０の端部カバー内周部外面部４２５０ｂ及び端部カバー外周部内面部４１９０ｂと、封止具４３との密着度が強くなり、透光性カバー３０及び封止具４３は、端部蓋４０から外れ難くなる。つまり、透光性カバー３０及び封止具４３は、端部蓋４０から外れる虞がない。また、透光性カバー３０の端部３６、端部蓋４０の端部カバー内周部外面部４２５０ｂ及び端部カバー外周部内面部４１９０ｂと、封止具４３と、は強く密着され、灯具３及び灯具３の封止構造１００は、止水性が維持される。
【００８２】
（変形例３）
図１３は、本発明の実施の形態に係る灯具３の封止構造１００の第３の変形例を説明する模式図である。変形例３の灯具３は、第１端部カバー４１と第２端部カバー４２とが一体成形された端部蓋４０ｃを用いた変形例である。端部蓋４０ｃは、１つの部品として形成されている。端部カバー内周部外面部４２５０ｃは、端部カバー内周部４２５の外周面であり、第１傾斜部として傾斜面を形成している。
【００８３】
第１傾斜部である端部カバー内周部外面部４２５０ｃは、第１方向（長手方向Ｘ）において、第２カバー主部４２０から第１カバー主部４１０に向うほど、第１方向（長手方向Ｘ）と交差する第２方向において端部３６との距離が大きくなるように傾斜している。すなわち、内壁部である端部カバー内周部４２５には、第１方向において透光性カバー３０の中央から端部３６に向うほど、第２方向における端部３６との距離が大きくなるように傾斜する第１傾斜部である端部カバー内周部外面部４２５０ｃが形成されている。換言すれば、端部カバー内周部外面部４２５０ｃは、第１方向（長手方向Ｘ）において、第１カバー主部４１０から第２カバー主部４２０の側に向うほど、第１方向（長手方向Ｘ）と交差する第２方向において端部３６との距離が小さくなるように傾斜している。すなわち、内壁部である端部カバー内周部４２５には、第１方向において透光性カバー３０の端部３６から中央に向うほど、第２方向における端部３６との距離が小さくなるように傾斜する第１傾斜部である端部カバー内周部外面部４２５０ｃが形成されている。端部カバー内周部外面部４２５０ｃの傾斜角θ２は、長手方向Ｘに沿った基準線Ｔに対して、傾斜角θ２＞０°である。
【００８４】
また、端部カバー外周部内面部４１９０ｃが、第１傾斜部相当の第２傾斜部として傾斜面を形成している。端部カバー外周部内面部４１９０ｃは、第１方向（長手方向Ｘ）において、第１カバー主部４１０から第２カバー主部４２０の側に向うほど、第１方向（長手方向Ｘ）と交差する第２方向において端部３６との距離が小さくなるように傾斜している。すなわち、外壁部４１０ａには、第１方向において透光性カバー３０の端部３６から中央に向うほど、第２方向における端部３６との距離が小さくなるように傾斜する第２傾斜部である端部カバー外周部内面部４１９０ｃが形成されている。換言すれば、第２傾斜部である端部カバー外周部内面部４１９０ｃは、第１方向（長手方向Ｘ）において、第２カバー主部４２０から第１カバー主部４１０に向うほど、第１方向と交差する第２方向において端部３６との距離が大きくなるように傾斜している。すなわち、外壁部４１０ａには、第１方向において透光性カバー３０の中央から端部３６に向うほど、第２方向における端部３６との距離が大きくなるように傾斜する第２傾斜部である端部カバー外周部内面部４１９０ｃが形成されている。端部カバー外周部内面部４１９０ｃの傾斜角θ４は、長手方向Ｘに沿った基準線Ｔに対して、傾斜角θ４＞０°である。
【００８５】
以上のように、端部蓋４０ｃは、１つの部品として形成されている。端部蓋４０ｃは、第１傾斜部である端部カバー内周部外面部４２５０ｃと第２傾斜部である端部カバー外周部内面部４１９０ｃとを有している。そのため、上述のように、透光性カバー３０及び端部蓋４０ｃと、封止具４３との密着度が強くなり、透光性カバー３０及び封止具４３は、端部蓋４０ｃから外れ難くなる。また、透光性カバー３０の端部３６、端部蓋４０ｃの端部カバー内周部外面部４２５０ｃ及び端部カバー外周部内面部４１９０ｃと、封止具４３と、は強く密着され、灯具３は止水性が維持される。また、複数の部品が一体化した端部蓋４０ｃは、端部蓋４０ｃを構成する部品数を少なくすることができ、灯具３の組立作業の工程数を少なくすることができる。
【００８６】
封止構造１００及び変形例１〜３に示すように、灯具３及び封止構造１００は、外壁部４１０ａと内壁部である端部カバー内周部４２５との少なくともいずれか一方には、第１傾斜部あるいは第２傾斜部から構成される傾斜部が形成されている。すなわち、傾斜部は、外壁部４１０ａと内壁部である端部カバー内周部４２５との少なくともいずれか一方に形成されている。そして、傾斜部は、灯具３の長手方向Ｘである第１方向において、外郭である透光性カバー３０の中央から端部３６に向うほど、第２方向における端部３６との距離が大きくなるように傾斜する。そのため、上述のように、灯具３及び灯具３の封止構造１００は、透光性カバー３０及び端部蓋４０と、封止具４３との密着度が強くなり、透光性カバー３０及び封止具４３が、端部蓋４０から外れ難くなる。また、透光性カバー３０の端部３６、端部蓋４０の端部カバー内周部外面部４２５０ｃ及び端部カバー外周部内面部４１９０ｃと、封止具４３と、は強く密着され、灯具３及び灯具３の封止構造１００は、止水性が維持される。
【００８７】
（変形例４）
図１４は、本発明の実施の形態に係る灯具３の封止構造１００の第４の変形例を説明する模式図である。変形例４の灯具３は、内周部４３５の内周部内面部４３５０に、内周部内面突設部４３５１が形成されている。内周部内面部４３５０は、透光性カバー３０と、封止具４３と、端部蓋４０とが組み合わされた状態において、内壁部である端部カバー内周部４２５と対向する内周部４３５の壁面部である。内周部内面突設部４３５１は、内周部４３５の内周部内面部４３５０に形成された凸状部である。なお、凸状部は、壁部から突出する部分である。内周部内面突設部４３５１は、内周部４３５の内周部内面部４３５０に沿って環状に形成されている。内周部内面突設部４３５１は、灯具３の長手方向Ｘにおいて、内周部４３５の内周部内面部４３５０に１つ形成されていてもよく、複数形成されていてもよい。灯具３は、内周部４３５の内周部内面部４３５０に、内周部内面突設部４３５１が形成されていることで封止具４３の止水性（密着性）を維持しながら薄肉化を図ることができる。その結果、灯具３及び灯具３の封止構造１００は、材料削減することができ材料コストを抑制することができる。
【００８８】
変形例４の灯具３は、内周部４３５の内周部外面部４３５２に、内周部外面突設部４３５３が形成されている。内周部外面部４３５２は、透光性カバー３０と、封止具４３と、端部蓋４０とが組み合わされた状態において、透光性カバー３０の端部３６と対向する内周部４３５の壁面部である。内周部外面突設部４３５３は、内周部４３５の内周部外面部４３５２に形成された凸状部である。内周部外面突設部４３５３は、内周部４３５の内周部外面部４３５２に沿って環状に形成されている。内周部外面突設部４３５３は、灯具３の長手方向Ｘにおいて、内周部４３５の内周部外面部４３５２に１つ形成されていてもよく、複数形成されていてもよい。灯具３は、内周部４３５の内周部外面部４３５２に、内周部外面突設部４３５３が形成されていることで封止具４３の止水性（密着性）を維持しながら薄肉化を図ることができる。その結果、灯具３及び灯具３の封止構造１００は、材料削減することができ材料コストを抑制することができる。
【００８９】
変形例４の灯具３は、外周部４３７の外周部内面部４３７０に、外周部内面突設部４３７１が形成されている。外周部内面部４３７０は、透光性カバー３０と、封止具４３と、端部蓋４０とが組み合わされた状態において、透光性カバー３０の端部３６と対向する外周部４３７の壁面部である。外周部内面突設部４３７１は、外周部４３７の外周部内面部４３７０に形成された凸状部である。外周部内面突設部４３７１は、外周部４３７の外周部内面部４３７０に沿って環状に形成されている。外周部内面突設部４３７１は、灯具３の長手方向Ｘにおいて、外周部４３７の外周部内面部４３７０に１つ形成されていてもよく、複数形成されていてもよい。灯具３は、外周部４３７の外周部内面部４３７０に、外周部内面突設部４３７１が形成されていることで封止具４３の止水性（密着性）を維持しながら薄肉化を図ることができる。その結果、灯具３及び灯具３の封止構造１００は、材料削減することができ材料コストを抑制することができる。
【００９０】
変形例４の灯具３は、外周部４３７の外周部外面部４３７２に、外周部外面突設部４３７３が形成されている。外周部外面部４３７２は、透光性カバー３０と、封止具４３と、端部蓋４０とが組み合わされた状態において、外壁部４１０ａと対向する外周部４３７の壁面部である。外周部外面突設部４３７３は、外周部４３７の外周部外面部４３７２に形成された凸状部である。外周部外面突設部４３７３は、外周部４３７の外周部外面部４３７２に沿って環状に形成されている。外周部外面突設部４３７３は、灯具３の長手方向Ｘにおいて、外周部４３７の外周部外面部４３７２に１つ形成されていてもよく、複数形成されていてもよい。灯具３は、外周部４３７の外周部外面部４３７２に、外周部外面突設部４３７３が形成されていることで封止具４３の止水性（密着性）を維持しながら薄肉化を図ることができる。その結果、灯具３及び灯具３の封止構造１００は、材料削減することができ材料コストを抑制することができる。
【００９１】
変形例４の灯具３は、内周部内面突設部４３５１、内周部外面突設部４３５３、外周部内面突設部４３７１及び外周部外面突設部４３７３のいずれか１つが形成されていてもよく、２つ以上が形成されていてもよい。
【００９２】
以上のように、照明装置１は、灯具３又は灯具３の封止構造１００を有することで、灯具３又は灯具３の封止構造１００の上述の効果を奏することができる。
【００９３】
図１５は、本発明の実施の形態に係る伸縮構造１１０の基準となる配置を示す断面図である。図１６は、本発明の実施の形態に係る伸縮構造１１０における透光性カバー３０の伸長状態の配置を示す断面図である。図１７は、本発明の実施の形態に係る伸縮構造１１０における透光性カバー３０の収縮状態の配置を示す断面図である。伸縮構造１１０は、灯具３において、透光性カバー３０の嵌合部である端部３６及び端部蓋４０を、長手方向Ｘ（第１方向）の移動が規制されない自由端とするために設けられた部分である。
【００９４】
伸縮構造１１０は、外郭となる透光性カバー３０と、透光性カバー３０に取り付けられる端部蓋４０と、を有している。また、伸縮構造１１０は、長手方向Ｘである第１方向において端部蓋４０の外側に配置され、一部が端部蓋４０を貫通している取付部材５０に固定されると共に、他の一部が照明器具２に固定される連結部材４４を備えている。そして、伸縮構造１１０は、端部３６及び端部蓋４０が、取付部材５０と連結部材４４との間に設けられた可動域Ｍにおいて、長手方向Ｘである第１方向に沿って移動自在に形成されている。また、伸縮構造１１０は、端部蓋４０が、端部３６との間に挟まれて配置される弾性部材である封止具４３に、端部３６と共に密着した状態で端部３６に取り付けられている。また、伸縮構造１１０は、取付部材５０が、端部蓋４０を貫通すると共に連結部材４４が固定される固定具５４を有している。そして、伸縮構造１１０は、弾性部材である封止具４３が、固定具５４に密着した状態で移動する。なお、図１５に示す灯具３及び灯具３の伸縮構造１１０の可動域Ｍは、灯具３の動作環境の変化に伴い端部３６と共に移動する端部蓋４０の移動量に対応して、取付部材５０と連結部材４４との間に設けられるクリアランスである。クリアランスである可動域Ｍは、各部品の製造バラツキ、あるいは、灯具３の組み立てバラツキに伴う寸法誤差を吸収する機能も併せ持つ。伸縮構造１１０において、端部３６は、取付部材５０と連結部材４４との間に設けられた灯具３の可動域Ｍにおいて、端部蓋４０と共に長手方向Ｘである第１方向に沿って移動自在な自由端である。上述したように、端部蓋４０は、端部３６との間に挟まれて配置される封止具４３に、端部３６と共に密着した状態で端部３６に取り付けられる。したがって、弾性部材である封止具４３は、端部蓋４０と共に可動域Ｍを、長手方向Ｘである第１方向に沿って移動する。
【００９５】
図１５に示すように、配置基準１として、端部蓋４０は、基準温度及び基準湿度に基づく基準設置環境条件において、取付部材５０及び連結部材４４と離間した状態で灯具３の可動域Ｍに配置されている。図１５に示すように、基準設置環境条件では、灯具３の長手方向Ｘにおいて、端部蓋４０が、位置Ｐ１を基準にして位置Ｐ２まで移動可能な範囲（第１可動域Ｍ１）を有するように、端部蓋４０、封止具４３、及び透光性カバー３０が配置される。基準設置環境条件は、基準温度である常温（例えば２５℃）及び基準湿度である常湿（例えば相対湿度４０％〜５０％）に基づく環境条件であり、灯具３を組み立てる際の一般的な環境条件でもある。図１５に示すように、位置Ｐ１は、灯具３の長手方向Ｘにおいて、端部蓋４０の第１カバー主部４１０の設置位置であり、より詳細には、灯具３の長手方向Ｘにおいて、第１カバー主部４１０の、連結部材４４の固定部４６と対向する面の設置位置である。位置Ｐ２は、灯具３の長手方向Ｘにおいて、連結部材４４の固定部４６の設定位置であり、より詳細には、灯具３の長手方向Ｘにおいて、固定部４６の、第１カバー主部４１０を構成する壁面と対向する面の設置位置である。すなわち、端部蓋４０は、連結部材４４の固定部４６と離間した状態で可動域Ｍに配置されている。また、端部蓋４０と取付部材５０との間には封止具４３が挟まれているため、端部蓋４０は、取付部材５０とも直接接触しておらず離間している。
【００９６】
第１可動域Ｍ１は、灯具３の長手方向Ｘにおいて、端部蓋４０の第１カバー主部４１０の設置位置と、連結部材４４の固定部４６の設置位置との間に形成された空間であり、第１カバー主部４１０の設置位置と固定部４６の設置位置との間の距離である。第１可動域Ｍ１は、透光性カバー３０の伸長に伴う端部３６と端部蓋４０との移動に対応するための領域である。第１可動域Ｍ１の大きさは、例えば、透光性カバー３０の最大伸長寸法Ｇから最大伸長寸法Ｇの半値（Ｇ／２）の範囲で決定される。伸縮構造１１０が、灯具３の長手方向Ｘ（第１方向）における片端にのみ設けられる場合は、第１可動域Ｍ１を透光性カバー３０の最大伸長寸法Ｇとすることが好ましい。伸縮構造１１０が、灯具３の長手方向Ｘ（第１方向）における両端に設けられる場合は、第１可動域Ｍ１を透光性カバー３０の最大伸長寸法Ｇの半値（Ｇ／２）としても充分である。
【００９７】
図１５に示すように、端部蓋４０は、基準温度及び基準湿度に基づく基準設置環境条件において、取付部材５０との間隔寸法よりも連結部材４４との間隔寸法の方が大きくなるように灯具３の可動域Ｍに配置されている。より詳細には、端部蓋４０は、基準温度及び基準湿度に基づく基準設置環境条件において、取付部材５０の固定具５４との間隔寸法よりも連結部材４４の固定部４６との間隔寸法の方が大きくなるように灯具３の可動域Ｍに配置されている。このとき端部蓋４０は、封止具４３を間にして取付部材５０と近接させて配置されている。
【００９８】
端部蓋４０は、基準温度及び基準湿度に基づく基準設置環境条件において、連結部材４４との間隔寸法よりも取付部材５０との間隔寸法の方が大きくなるように可動域に配置されてもよい。より詳細には、端部蓋４０は、基準温度及び基準湿度に基づく基準設置環境条件において、連結部材４４の固定部４６との間隔寸法よりも取付部材５０の固定具５４との間隔寸法の方が大きくなるように灯具３の可動域Ｍに配置されてもよい。例えば、灯具３の使用環境温度が極端に低い場合等、透光性カバー３０の収縮量が大きい場合を想定した端部蓋４０の配置例である。
【００９９】
取付部材５０は、端部蓋４０を貫通すると共に連結部材４４が固定される固定具５４を有しており、弾性部材である封止具４３は、固定具５４に密着した状態で移動する。上述したように、連結部材４４が固定されるのは固定具５４のボス部５７である。そして、固定具５４が有するボス部５７は、封止具４３の筒状部である封止具筒状部４３３と密着した状態で、封止具筒状部４３３のボス挿通孔内を摺動することができる。封止具４３は、弾性部材であり、当該構成を有することで、灯具３の止水性を維持した伸縮構造１１０を構成することができる。
【０１００】
灯具３の設置環境温度、設置環境相対湿度、あるいは、動作温度が上昇して、透光性カバー３０が伸長する場合は、端部蓋４０及び透光性カバー３０の端部３６は、相対位置が変わることなく一体となって長手方向Ｘにおける外側（Ｘ１の向き）に移動する。端部蓋４０及び透光性カバー３０の端部３６が移動する際、封止具４３は、端部蓋４０、透光性カバー３０の端部３６、及びボス部５７と密着して灯具３の止水性（封止状態）を維持する。
【０１０１】
図１５に示すように、配置基準２として、基準設置環境条件では、透光性カバー３０が位置Ｐ３を基準にして位置Ｐ４まで移動可能な範囲（第２可動域Ｍ２）を有するように、端部蓋４０、封止具４３、及び透光性カバー３０が配置される。位置Ｐ３は、透光性カバー３０のカバー端部３５の位置であり、位置Ｐ４は、取付部材５０の固定具５４の位置である。すなわち、第２可動域Ｍ２は、灯具３の長手方向Ｘにおいて、カバー端部３５と固定具５４との間の距離である。第２可動域Ｍ２は、透光性カバー３０の収縮に伴う端部３６と端部蓋４０との移動に対応するための領域である。第２可動域Ｍ２は、例えば、透光性カバー３０の最大収縮寸法Ｓから最大収縮寸法Ｓの半値（Ｓ／２）の範囲で決定される。伸縮構造１１０が、灯具３の長手方向Ｘ（第１方向）における片端にのみ設けられる場合は、第２可動域Ｍ２を最大収縮寸法Ｓとすることが好ましい。伸縮構造１１０が、灯具３の長手方向Ｘ（第１方向）における両端に設けられる場合は、第２可動域Ｍ２を最大収縮寸法Ｓの半値（Ｓ／２）としても充分である。
【０１０２】
図１６に示すように、端部蓋４０は、第１可動域Ｍ１において、図１５に示す位置Ｐ１を基準にして位置Ｐ２まで移動することができ、併せて封止具４３もまた、端部蓋４０の位置Ｐ１から位置Ｐ２まで移動距離の分だけ移動することができる。図１６に示すように、灯具３は、透光性カバー３０が最大伸長した場合、すなわち、透光性カバー３０が第１可動域Ｍ１の範囲内で最大伸長した状態で、照明器具２の長手方向Ｘ（第１方向）における最大寸法を超えないようにする。透光性カバー３０が、第１可動域Ｍ１の範囲内で最大伸長した状態で、照明器具２の長手方向Ｘにおける最大寸法を超えないようにすることで、照明装置１を長手方向に近接して設置された場合でも、それぞれの照明装置１の灯具３同士がぶつかることがない。図１６に示す第３可動域Ｍ３は、端部蓋４０及び封止具４３の、位置Ｐ５を基準にした位置Ｐ６までの移動範囲である。位置Ｐ５は、第２端部カバー４２の第２カバー主部４２０の位置であり、位置Ｐ６は、取付部材５０の固定具５４の位置である。すなわち、第３可動域Ｍ３は、灯具３の長手方向Ｘにおいて、第２カバー主部４２０と固定具５４との間の距離である。第３可動域Ｍ３は、透光性カバー３０が最大伸長した状態から基準寸法に収縮する（戻る）場合の可動域であり、実質的に第１可動域Ｍ１と同じである。
【０１０３】
なお、図１５に示すように、基準設置環境条件では、固定具４８の頭部と、連結ガイド４１３の筒状の壁部との間には間隙が形成されている。そのため、図１６に示すように、長手方向Ｘにおいて、端部３６の伸長と共に端部蓋４０が移動したとしても、固定具４８は、連結ガイド４１３の筒状の壁部と干渉することはない。その結果、固定具４８は、連結ガイド４１３が形成された端部蓋４０の移動を妨げることがない。
【０１０４】
図１７は、透光性カバー３０が、第２可動域Ｍ２の範囲内で収縮した状態における、端部蓋４０、封止具４３、及び透光性カバー３０の配置の一例である。図１７に示すように、透光性カバー３０が収縮した場合には、例えば、位置Ｐ７に示すように、透光性カバー３０の端部３６が移動する場合がある。
【０１０５】
以上のように、灯具３は、開口を形成する端部３６を覆った状態で外郭である透光性カバー３０に取り付けられている端部蓋４０を備える。また、灯具３は、と、灯具３の長手方向Ｘである第１方向において、端部蓋４０の外側に配置され、一部が端部蓋４０を貫通している取付部材５０に固定されると共に、他の一部が照明器具２に固定される連結部材４４を備える。そして、端部３６は、第１方向に沿って移動自在である。そのため、外郭である透光性カバー３０には灯具３を固定するための孔を形成する必要はなく、透光性カバー３０の止水性を維持したまま透光性カバー３０の端部３６を移動自在に形成できる。その結果、灯具３及び灯具３の伸縮構造１１０は、止水性を維持しながら伸縮することができる。また、灯具３及び灯具３の伸縮構造１１０は、透光性カバー３０に灯具３を固定するための孔が形成されていないため、防水ワッシャ等のコストの増大に繋がる方法の採用を避けることができる。
【０１０６】
また、端部３６は、外郭である透光性カバー３０の伸縮に伴い、端部蓋４０と共に第１方向に沿って移動自在に形成されている。その結果、灯具３は、止水性を維持しながら伸縮することができる。
【０１０７】
また、端部３６は、取付部材５０と連結部材４４との間に形成された可動域Ｍにおいて、外郭である透光性カバー３０の伸縮に伴い、端部蓋４０と共に第１方向に沿って移動自在である。その結果、灯具３は、止水性を維持しながら伸縮することができる。
【０１０８】
また、端部蓋４０は、基準温度及び基準湿度に基づく基準設置環境条件において、取付部材５０及び連結部材４４と離間した状態で可動域Ｍに配置されている。そのため、灯具３は、環境条件の変化に伴い透光性カバー３０が伸縮しても、透光性カバー３０の端部３６及び透光性カバー３０が取り付けられた端部蓋４０が移動する領域が確保されており、端部３６及び端部蓋４０の移動が妨げられることはない。
【０１０９】
また、端部蓋４０は、基準温度及び基準湿度に基づく基準設置環境条件において、取付部材５０との間隔寸法よりも連結部材４４との間隔寸法の方が大きくなるように可動域Ｍに配置されている。そのため、灯具３は、例えば、使用環境温度が極端に高い場合等、環境条件の変化に伴い透光性カバー３０の伸長量が大きくても、端部３６及び端部蓋４０が移動する領域が確保されており、端部３６及び端部蓋４０の移動が妨げられることはない。また、灯具３は、可動域Ｍを有することで、各部品の製造バラツキ、あるいは、灯具３の組み立てバラツキに伴う寸法誤差を吸収することができる。
【０１１０】
また、端部蓋４０は、基準温度及び基準湿度に基づく基準設置環境条件において、連結部材４４との間隔寸法よりも取付部材５０との間隔寸法の方が大きくなるように可動域Ｍに配置されている。そのため、灯具３は、例えば、使用環境温度が極端に低い場合等、環境条件の変化に伴い透光性カバー３０の収縮量が大きくても、端部３６及び端部蓋４０が移動する領域が確保されており、端部３６及び端部蓋４０の移動が妨げられることはない。
【０１１１】
また、端部蓋４０は、端部３６との間に挟まれて配置される弾性部材である封止具４３に、端部３６と共に密着した状態で端部３６に取り付けられる。その結果、灯具３は、さらに止水性を維持しながら伸縮することができる。
【０１１２】
また、取付部材５０は、端部蓋４０を貫通すると共に連結部材４４が固定される固定具５４を有しており、弾性部材である封止具４３は、固定具５４に密着した状態で移動する。その結果、灯具３及び灯具３の伸縮構造１１０は、さらに止水性を維持しながら伸縮することができる。
【０１１３】
以上のように、照明装置１は、灯具３又は灯具３の伸縮構造１１０を有することで、灯具３又は灯具３の伸縮構造１１０の上述の効果を奏することができる。
【０１１４】
なお、本実施の形態、及び変形例における灯具３は、端部蓋４０、及び封止具４３を長手方向Ｘにおけるいずれか一方の端部に取付けられてもよい。また、本実施の形態、及び変形例における照明装置１は、いわゆるトラフタイプの照明器具２を例示して説明したが、これに限定されるものではない。例えば、照明装置１は、灯具３が装着される照明器具２として、いわゆる笠付タイプ、片側反射笠付タイプ、Ｖ形タイプ等、他の形状のものを採用することができる。さらに、本実施の形態、及び変形例において、照明装置１を構成する照明器具２及び灯具３はいずれも長尺状のものを例示しているが、これに限定されるものではない。灯具３あるいは灯具３が装着される照明器具２は、短尺状のものでもよく、例えば、灯具３は透光性カバー３０の筒軸方向の長さ寸法が径方向の長さ寸法より小さい形状であってもよい。
【０１１５】
図１８は、本発明の実施の形態に係る固定具４８の嵌入状態を説明する断面図である。図１９は、本発明の実施の形態に係る固定具４８の嵌入状態を説明する他の断面図である。図１８は、固定具４８が固定具挿通部４５１の標準の位置に嵌入されている状態を示している。図１９は、固定具４８が固定具挿通部４５１に嵌入されたまま開放端４５１ａ側（矢印Ｃの向き＝端向きＸ１）へ移動した状態を示している。灯具３の照明器具２への固定に関して、固定具４８を中心に各要素とその役割について図４及び図５並びに図１８及び図１９を用いて更に詳細に説明する。
【０１１６】
（連結ガイド４１３）
連結ガイド４１３は、端部蓋４０の要素の１つである。連結ガイド４１３は、上述したように、連結部材４４の段差部４５０に形成された固定具挿通部４５１にあらかじめ取り付けられている固定具４８に向かって、図２に示すカバー下面貫通孔４１５からドライバ等の工具を案内する筒状のガイド壁である。なお、端部蓋４０は、固定具４８が固定具挿通部４５１の開放端４５１ａから外れないように固定具挿通部４５１の開放端４５１ａを覆い、固定具４８の移動を規制する。図１８及び図１９に示すように、連結ガイド４１３は、固定具挿通部４５１の開放端４５１ａを形成する段差部４５０の端面部と対向しない。また、連結ガイド４１３は、上述したように筒状のガイド壁であり、連結ガイド４１３の先端部の上方に、灯具側連結部４５の段差部４５０が配置される。
【０１１７】
（カバー下面部４１４）
カバー下面部４１４は、固定具挿通部４５１が第１方向（長手方向Ｘ）と交差する方向に沿って形成される場合には、カバー下面部４１４の側面部４１４ｂが固定具４８の移動を規制する。そして、カバー下面部４１４は、固定具４８が連結部材４４の灯具側連結部４５から外れないように機能する。カバー下面部４１４の側面部４１４ｂは、固定具４８が固定具挿通部４５１の開放端４５１ａから外れないように固定具挿通部４５１の開放端４５１ａを形成する段差部４５０の端面部と対向する。すなわち、固定具４８が取り付けられた連結部材４４と、端部蓋４０とが、灯具３に取り付けられた場合に、側面部４１４ｂが開放端４５１ａを覆う。
【０１１８】
この際、固定具挿通部４５１が形成される灯具側連結部４５の少なくとも段差部４５０は、固定具４８が固定具挿通部４５１の開放端４５１ａから外れないように、カバー下面部４１４の側面部４１４ｂとの距離寸法を考慮して、短手方向Ｙの寸法が決定される。
【０１１９】
（カバー端面部４１７）
カバー端面部４１７は、連結ガイド４１３を備えない端部蓋４０の第１端部カバー４１を用いる場合には、固定具４８が固定具挿通部４５１の開放端４５１ａから外れないように固定具挿通部４５１の開放端４５１ａを覆い、固定具４８の移動を規制する。端部蓋４０のカバー端面部４１７は、固定具４８が固定具挿通部４５１の開放端４５１ａから外れないように固定具挿通部４５１の開放端４５１ａを形成する段差部４５０の端面部と対向する。すなわち、固定具４８が取り付けられた連結部材４４と、端部蓋４０とが、灯具３に取り付けられた場合に、カバー端面部４１７が開放端４５１ａを覆う。
【０１２０】
この際、固定具挿通部４５１が形成される灯具側連結部４５の少なくとも段差部４５０は、固定具４８が固定具挿通部４５１の開放端４５１ａから外れないように、カバー端面部４１７との距離寸法を考慮して、長手方向Ｘ（第１方向長手方向）の寸法が決定される。
【０１２１】
（段差部４５０）
段差部４５０には、第１ワッシャ４８５ａが配置される。第１ワッシャ４８５ａは、固定具４８から外れないように固定具４８に予め嵌着されている。
【０１２２】
段差部４５０の高さ（深さ、段差）寸法は、第１ワッシャ４８５ａの厚さ寸法と同じ寸法である。灯具３が照明器具２に取り付けられている状態では、第１ワッシャ４８５ａの上側（Ｚ１の側）の面が照明器具２の器具側連結部２７に当接し、第１ワッシャ４８５ａの下側（Ｚ２の側）の面が連結部材４４の段差部４５０に当接する。
【０１２３】
段差部４５０の形状及び面積は、第１ワッシャ４８５ａの形状及び寸法を考慮して決定される。
【０１２４】
（固定具挿通部４５１）
固定具挿通部４５１は、上述のとおり、段差部４５０の、短手方向Ｙにおける略中央に、長手方向（第１方向）Ｘにおける端部側（Ｘ１側）からスリット状に形成されている。つまり、固定具挿通部４５１は、段差部４５０における縁部側が開放端４５１ａとなっている。端部蓋４０は、固定具４８が取り付けられた連結部材４４と、端部蓋４０とが、灯具３に取り付けられた場合に、開放端４５１ａを覆う。
【０１２５】
固定具挿通部４５１は、固定具４８におけるネジ部である胴部４８１の括れ部分より大きい幅寸法で形成されており、胴部４８１の括れ部分が嵌入する。固定具挿通部４５１は、上述のとおり、短手方向Ｙを含む、長手方向Ｘ（第１方向）と交差する方向に沿って形成されてもよい。
【０１２６】
（固定具４８）
固定具４８は、灯具３を照明器具２に固定する。固定具４８は、上述したとおり、例えば連結ネジである。固定具４８は、頭部４８０と、胴部４８１とを有する。頭部４８０は、雄ネジ部品の頭の部分であり、軸の終端に設けられたより太い部分である。頭部４８０の頂面には、例えば、ドライバ等の工具で回すための溝あるいは穴が設けられている。胴部４８１は、ネジ部であり、胴部４８１が段差部４５０に配置されると、胴部４８１の括れ部分が固定具挿通部４５１に挿通される。固定具４８は金属製であるが、これに限定されるものではなく、樹脂製、あるいは、セラミック製等でもよい。
【０１２７】
（ワッシャ４８５）
ワッシャ４８５は、第１ワッシャ４８５ａを有する。第１ワッシャ４８５ａは、抜け止めワッシャであり、いわゆる平座金である。この第１ワッシャ４８５ａは、固定具４８から外れないように予め固定具４８に嵌着されている。なお、本実施の形態では、第１ワッシャ４８５ａは胴部４８１の括れ部分に予め係着されているが、第１ワッシャ４８５ａは当該態様に限定されず、後付け可能なワッシャでもよい。ワッシャ４８５は、更に第２ワッシャ４８５ｂと、第３ワッシャ４８５ｃとを有してもよい。第２ワッシャ４８５ｂは、バネワッシャであり、いわゆるバネ座金である。第３ワッシャ４８５ｃは、いわゆる平座金である。なお、第２ワッシャ４８５ｂ及び第３ワッシャ４８５ｃは、ワッシャ４８５として一般に用いられる構成であるが、本発明においては必須の構成ではない。ワッシャ４８５は、金属製であるが、これに限定されるものではなく、樹脂製、あるいは、セラミック製等でもよい。
【０１２８】
図１８及び図１９に示すように、固定具４８は、胴部４８１の括れ部分が固定具挿通部４５１に挿通され、段差部４５０を、頭部４８０と、胴部４８１の括れ部分に係着された第１ワッシャ４８５ａとの間に挟んだ状態で、灯具側連結部４５に取り付けられている。この際、第１ワッシャ４８５ａは、固定具４８から外れないように予め胴部４８１の括れ部分に係着されている。
【０１２９】
［固定具４８への作用］
図１８及び図１９に示すように、筒状に形成された連結ガイド４１３の内部には、固定具４８の頭部４８０が配置される。すなわち、固定具４８が取り付けられた連結部材４４と、端部蓋４０とが、灯具３に取り付けられた場合に、固定具４８の一部が連結ガイド４１３内に配置される。ここで、固定具４８が取り付けられた連結部材４４と、端部蓋４０とが、灯具３に取り付けられた場合について検討する。灯具３は、例えば、固定具４８の一部である頭部４８０と連結ガイド４１３の内面壁との間の距離が、灯具側連結部４５における固定具４８が締結される位置と開放端４５１ａとの間の距離よりも短い。なお、筒状に形成された連結ガイド４１３の内部には、固定具４８の頭部４８０と共に第２ワッシャ４８５ｂが配置され、固定具４８の頭部４８０及び第２ワッシャ４８５ｂと共に、第３ワッシャ４８５ｃが配置されてもよい。
【０１３０】
次に、図１９に示すように、固定具４８が、長手方向Ｘ（第１方向）に沿って、固定具挿通部４５１を開放端４５１ａ側（矢印Ｃの向き＝端向きＸ１）へ移動する場合について検討する。固定具４８は、頭部４８０、第２ワッシャ４８５ｂ、あるいは、第３ワッシャ４８５ｃのいずれかが連結ガイド４１３の内面に当接することよって開放端４５１ａ側（矢印Ｃの向き＝端向きＸ１）への移動が規制される。したがって、固定具４８は、頭部４８０、第２ワッシャ４８５ｂ、あるいは、第３ワッシャ４８５ｃのいずれかが連結ガイド４１３の内面と当接する位置より開放端４５１ａ側（矢印Ｃの向き＝端向きＸ１）へは移動しない。つまり、胴部４８１の括れ部分が固定具挿通部４５１に留まっており、固定具４８が連結部材４４の灯具側連結部４５から外れることはない。
【０１３１】
また、胴部４８１の括れ部分が、固定具挿通部４５１に留まっている状態では、頭部４８０と第１ワッシャ４８５ａとが段差部４５０を挟んでいるため、固定具４８は、上下方向Ｚへの移動も規制されており、固定具４８が段差部４５０から外れることもない。
【０１３２】
なお、灯具３が照明器具２に取り付けられている状態では、固定具４８は、器具側連結部２７のネジ孔２８の位置に固定されている。この場合、固定具４８は、器具側連結部２７によってあらゆる方向の移動が規制されており、図１６に示すように、透光性カバー３０の伸縮等によって端部蓋４０の位置が変わっても、灯具側連結部４５から外れることはない。
【０１３３】
［灯具３の取付構造１２０］
取付構造１２０は、固定具４８によって灯具３を照明器具２に取り付ける灯具３の構造である。取付構造１２０は、固定具４８と、連結部材４４の灯具側連結部４５と、連結ガイド４１３を含む端部蓋４０とを備える。固定具４８は、灯具３を照明器具２の器具側連結部２７に固定するために用いられる。固定具４８は、胴部４８１の括れ部分が固定具挿通部４５１に挿通されると共に、括れ部分の上方のネジ部分が器具側連結部２７に形成されたネジ孔２８にネジ止めされることで、灯具３を照明器具２に固定する。灯具側連結部４５には、固定具４８が嵌入される開放端４５１ａを形成する固定具挿通部４５１が形成されている。固定具４８が取り付けられた連結部材４４と、端部蓋４０とが、灯具３に取り付けられた場合に、連結ガイド４１３を含む端部蓋４０は、固定具４８が開放端４５１ａを介して固定具挿通部４５１から外れないように、開放端４５１ａを覆う。灯具３が照明器具２に取り付けられた状態では、取付構造１２０は、端部蓋４０によって固定具挿通部４５１における固定具４８の移動が規制される。
【０１３４】
［取付構造１２０の変形例１］
取付構造１２０の変形例１（図示は省略）として、固定具挿通部４５１の開放端４５１ａがカバー端面部４１７を含む端部蓋４０に覆われ、固定具４８の移動が規制されてもよい。
【０１３５】
連結ガイド４１３を備えない端部蓋４０の第１端部カバー４１を用いる場合には、固定具４８が固定具挿通部４５１の開放端４５１ａから外れないように連結ガイド４１３に代わって、カバー端面部４１７が用いられる。カバー端面部４１７は、固定具挿通部４５１の開放端４５１ａを覆い、固定具４８の移動を規制する要素となる。すなわち、固定具４８が取り付けられた連結部材４４と、端部蓋４０とが、灯具３に取り付けられた場合に、カバー端面部４１７が開放端４５１ａを覆う。
【０１３６】
この際、固定具挿通部４５１が形成される灯具側連結部４５の少なくとも段差部４５０は、固定具４８が固定具挿通部４５１の開放端４５１ａから外れないように、カバー端面部４１７との距離寸法を考慮して、長手方向Ｘ（第１方向）の寸法が決定される。
【０１３７】
［取付構造１２０の変形例２］
取付構造１２０の変形例２（図示は省略）として、固定具挿通部４５１の開放端４５１ａがカバー下面部４１４の側面部４１４ｂを含む端部蓋４０に覆われ、固定具４８の移動が規制されてもよい。
【０１３８】
固定具挿通部４５１が長手方向Ｘ（第１方向）と交差する方向に沿って形成される場合には、カバー下面部４１４の側面部４１４ｂが固定具４８の移動を規制し、固定具４８が連結部材４４の灯具側連結部４５から外れないようにする要素となる。すなわち、固定具４８が取り付けられた連結部材４４と、端部蓋４０とが、灯具３に取り付けられた場合に、側面部４１４ｂが開放端４５１ａを覆う。
【０１３９】
この際、固定具挿通部４５１が形成される灯具側連結部４５の少なくとも段差部４５０は、固定具４８が固定具挿通部４５１の開放端４５１ａから外れないように、カバー下面部４１４の側面部４１４ｂとの距離寸法を考慮して、短手方向Ｙの寸法を決定する。なお、ここでいう短手方向Ｙは、長手方向Ｘ（第１方向）と交差する方向である。
【０１４０】
［灯具３の作用効果］
以上のように灯具３は、灯具側連結部４５が、縁部が切り欠かれた開放端４５１ａを形成すると共に、固定具４８が開放端４５１ａを介して嵌入される固定具挿通部４５１を有する。そのため、灯具３は、開放端４５１ａを介して、予め座金である第１ワッシャ４８５ａが取り付けられた固定具４８を灯具３に装着することができる。そのため、灯具３は、組み立てがしやすい。そして、灯具３は、固定具４８が取り付けられた連結部材４４と、端部蓋４０とが、灯具３に取り付けられた場合に、端部蓋４０が開放端４５１ａを覆う。そのため、灯具３は、端部蓋４０によって、固定具４８が固定具挿通部４５１から外れることを防ぐことができる。
【０１４１】
また、灯具３は、固定具４８が取り付けられた連結部材４４と、端部蓋４０とが、灯具３に取り付けられた場合に、端部蓋４０のカバー端面部４１７が開放端４５１ａを覆う。そのため、灯具３は、端部蓋４０によって固定具４８が固定具挿通部４５１から外れることを防ぐことができる。
【０１４２】
また、灯具３は、固定具４８が取り付けられた連結部材４４と、端部蓋４０とが、灯具３に取り付けられた場合に、端部蓋４０の側面部４１４ｂが開放端４５１ａを覆う。そのため、灯具３は、端部蓋４０によって固定具４８が固定具挿通部４５１から外れることを防ぐことができる。
【０１４３】
また、灯具３は、固定具４８が取り付けられた連結部材４４と、端部蓋４０とが、灯具３に取り付けられた場合に、固定具４８の一部である頭部４８０が連結ガイド４１３内に配置される。灯具３は、固定具４８が連結ガイド４１３の内面に当接することよって開放端４５１ａ側（矢印Ｃの向き＝端向きＸ１）への移動が規制される。したがって、灯具３は、固定具４８の頭部４８０が連結ガイド４１３の内面と当接する位置より開放端４５１ａ側（矢印Ｃの向き＝端向きＸ１）へは移動しない。つまり、胴部４８１の括れ部分が固定具挿通部４５１に留まっており、固定具４８が連結部材４４の灯具側連結部４５から外れることはない。
【０１４４】
また、灯具３は、固定具４８の一部である頭部４８０と筒状に形成された連結ガイド４１３の内面壁との間の距離が、灯具側連結部４５における固定具４８が締結される位置と開放端４５１ａとの間の距離よりも短い。そのため、灯具３は、固定具４８が連結ガイド４１３の内面に当接することよって開放端４５１ａ側（矢印Ｃの向き＝端向きＸ１）への移動が規制される。したがって、灯具３は、固定具４８の頭部４８０が連結ガイド４１３の内面と当接する位置より開放端４５１ａ側（矢印Ｃの向き＝端向きＸ１）へは移動しない。つまり、胴部４８１の括れ部分が固定具挿通部４５１に留まっており、固定具４８が連結部材４４の灯具側連結部４５から外れることはない。
【０１４５】
また、固定具挿通部４５１は、灯具側連結部４５にのみ形成されている。そのため、連結部材４４に形成する開口部の面積を少なくすることができ、連結部材４４の強度を確保することができる。また、固定具挿通部４５１が、灯具側連結部４５にのみ形成されていることで連結部材４４を複雑な形状に加工する必要がない。そのため、例えば、連結部材４４の量産性、部品の品質の確保、部品コスト、成型用の金型のコストの面で有利となる。
【０１４６】
［取付構造１２０の作用効果］
取付構造１２０は、灯具側連結部４５が、縁部が切り欠かれた開放端４５１ａを形成すると共に、固定具４８が開放端４５１ａを介して嵌入される固定具挿通部４５１を有する。そのため、取付構造１２０は、開放端４５１ａを介して、予め座金である第１ワッシャ４８５ａが取り付けられた固定具４８を灯具３に装着することができる。そのため、灯具３は、組み立てがしやすい。そして、取付構造１２０は、固定具４８が取り付けられた連結部材４４と、端部蓋４０とが、灯具３に取り付けられた場合に、端部蓋４０が開放端４５１ａを覆う。そのため、取付構造１２０は、端部蓋４０によって固定具４８が固定具挿通部４５１から外れることを防ぐことができる。
【０１４７】
取付構造１２０は、灯具３が照明器具２に取り付けられた状態では、端部蓋４０によって固定具挿通部４５１における固定具４８の移動が規制される。そのため、取付構造１２０は、端部蓋４０によって固定具４８が固定具挿通部４５１から外れることを防ぐことができる。
【０１４８】
以上のように、照明装置１は、灯具３又は取付構造１２０を有することで、灯具３又は取付構造１２０の上述の効果を奏することができる。
【０１４９】
以上、本発明の実施の形態、及び変形例を説明したが、これらの実施の形態と変形例とを組み合わせて実施しても構わない。あるいは、これらの実施の形態と変形例のうち、１つを部分的に実施しても構わない。あるいは、これらの実施の形態と変形例とを部分的に組み合わせて実施しても構わない。なお、本発明は、これらの実施の形態、及び変形例に限定されるものではなく、必要に応じて種々の変更が可能である。
【符号の説明】
【０１５０】
１  照明装置、２  照明器具、３  灯具、３Ａ  端部、３Ｂ  端部、９  造営部、２０  器具本体、２１  器具底面部、２２  器具側面部、２３  器具端部、２４  ノックアウト、２５  装着部、２６  開口端部、２７  器具側連結部、２８  ネジ孔、３０  透光性カバー、３１  並行部、３２  第１接続部、３３  第２接続部、３４  リブ、３５  カバー端部、３６  端部、３７  外周部、３８  内周部、４０  端部蓋、４０ｃ  端部蓋、４１  第１端部カバー、４２  第２端部カバー、４２ａ  第２端部カバー、４３  封止具、４３ａ  封止具、４４  連結部材、４５  灯具側連結部、４６  固定部、４７  係合部、４８  固定具、４９  カバー蓋、５０  取付部材、５１  台座、５２  取付面部、５３  側部、５４  固定具、５５  取付部、５６  固定部、５７  ボス部、５８  ネジ孔、６０  発光部、６１  発光素子、６２  基板、７０  基板捕捉部材、７５  固定ネジ、７６  固定ネジ、８０  制御部、８１  電源線、８２  接地線、８３  制御線、８４  給電線、１００  封止構造、１１０  伸縮構造、１２０  取付構造、４１０  第１カバー主部、４１０ａ  外壁部、４１１  第１カバー貫通孔、４１２  第１カバー連結孔、４１３  連結ガイド、４１４  カバー下面部、４１４ａ  底面部、４１４ｂ  側面部、４１５  カバー下面貫通孔、４１６  カバー電線保持部、４１７  カバー端面部、４１８  カバー端面貫通孔、４１９  端部カバー外周部、４２０  第２カバー主部、４２１  端部カバー挿通部、４２１ａ  挿通壁、４２２  第２カバー係合片、４２３  第２カバー係合爪、４２５  端部カバー内周部、４２６  カバー鍔部、４３０  封止具主部、４３１  電線挿通部、４３２  電線挿通孔、４３３  封止具筒状部、４３４  ネジ挿通孔、４３５  内周部、４３６  接続部、４３７  外周部、４５０  段差部、４５１  固定具挿通部、４５１ａ  開放端、４６０  固定ネジ挿通孔、４６１  係合片挿通孔、４７１  スリット、４７２  挿入孔、４８０  頭部、４８１  胴部、４８５  ワッシャ、４８５ａ  第１ワッシャ、４８５ｂ  第２ワッシャ、４８５ｃ  第３ワッシャ、５２０  ネジ孔、５２１  切り欠き部、５２２  装着孔、５２３  制御部取付部、７０１  捕捉部、７０２  係合部、４１９０  端部カバー外周部内面部、４１９０ａ  端部カバー外周部内面部、４１９０ｂ  端部カバー外周部内面部、４１９０ｃ  端部カバー外周部内面部、４２５０  端部カバー内周部外面部、４２５０ａ  端部カバー内周部外面部、４２５０ｂ  端部カバー内周部外面部、４２５０ｃ  端部カバー内周部外面部、４３５０  内周部内面部、４３５１  内周部内面突設部、４３５２  内周部外面部、４３５３  内周部外面突設部、４３７０  外周部内面部、４３７１  外周部内面突設部、４３７２  外周部外面部、４３７３  外周部外面突設部、４７１０  上部スリット、４７１１  端部スリット。
【図１】
2020035705.tif 000003
【図２】
2020035705.tif 000004
【図３】
2020035705.tif 000005
【図４】
2020035705.tif 000006
【図５】
2020035705.tif 000007
【図６】
2020035705.tif 000008
【図７】
2020035705.tif 000009
【図８】
2020035705.tif 000010
【図９】
2020035705.tif 000011
【図１０】
2020035705.tif 000012
【図１１】
2020035705.tif 000013
【図１２】
2020035705.tif 000014
【図１３】
2020035705.tif 000015
【図１４】
2020035705.tif 000016
【図１５】
2020035705.tif 000017
【図１６】
2020035705.tif 000018
【図１７】
2020035705.tif 000019
【図１８】
2020035705.tif 000020
【図１９】
2020035705.tif 000021